(57)【要約】  ユーザ機器のデータ処理方法が開示され、この方法は、ユーザ機器がネットワーク探索を実行する必要があると決定された場合、取得された、アクセスサポート可能な無線技術タイプについての情報、又はアクセス禁止された無線アクセスタイプについての情報により、利用可能な無線技術タイプを決定すること、及び決定された利用可能な無線技術タイプにより、その利用可能な無線技術タイプに対応する利用可能なネットワークを探索することであって、利用可能なネットワークは、データを処理するためにユーザ機器によって使用されることを含む。本発明において提供される方法を用いて、不必要なネットワークシグナリング負荷が低減され、ユーザ機器のネットワーク探索時間が低減され、ユーザ機器の消費電力が低減される。
2017517927.tif 000002
【特許請求の範囲】
【請求項１】
ユーザ機器がネットワーク探索を実行する必要があると決定された場合、取得された、アクセスサポート可能な無線技術タイプについての情報、又はアクセス禁止された無線アクセスタイプについての情報に従って、利用可能な無線技術タイプを決定するように構成された決定ユニットと、
前記決定ユニットによって決定された前記利用可能な無線技術タイプに従って、前記利用可能な無線技術タイプに対応する利用可能なネットワークを探索するように構成された探索ユニットであって、前記利用可能なネットワークは、データを処理するために前記ユーザ機器によって使用される探索ユニットとを備えるユーザ機器。
【請求項２】
前記決定ユニットは、
前記ユーザ機器がネットワークに登録すると決定された場合、前記ユーザ機器がネットワーク探索を実行する必要があると決定するように、又は
前記ユーザ機器がセルを測定すると決定された場合、前記ユーザ機器がネットワーク探索を実行する必要があると決定するように特に構成される請求項１に記載のユーザ機器。
【請求項３】
前記決定ユニットによって取得される前記アクセスサポート可能な無線技術タイプについての前記情報は、
前記ユーザ機器の加入者ＩＤモジュールのアクセスサポート可能な無線技術タイプ、及び前記ユーザ機器のアクセスサポート可能な無線技術タイプを含み、
前記決定ユニットによって取得される前記アクセスサポート可能な無線技術タイプについての前記情報は、
前記ユーザ機器の前記加入者ＩＤモジュールのアクセス禁止された無線技術タイプ、及び前記ユーザ機器のアクセス禁止された無線技術タイプを含む請求項１に記載のユーザ機器。
【請求項４】
前記決定ユニットは、
前記ユーザ機器の加入者ＩＤモジュールにあらかじめ保存されたアクセスサポート可能な無線技術タイプについての情報、又はアクセス禁止された無線技術タイプについての情報から、前記アクセスサポート可能な無線技術タイプについての前記情報、又は前記アクセス禁止された無線技術タイプについての前記情報を取得するように特に構成される請求項１に記載のユーザ機器。
【請求項５】
ネットワーク側によって送信されたアクセスサポート可能な無線技術タイプについての情報、又はアクセス禁止された無線技術タイプについての情報を受信するように構成された第１の受信ユニットを更に備える前記ユーザ機器であって、
前記決定ユニットは、
前記第１の受信ユニットによって受信された前記アクセスサポート可能な無線技術タイプについての前記情報、又は前記アクセス禁止された無線技術タイプについての前記情報を使用することによって、前記アクセスサポート可能な無線技術タイプについての前記情報、又は前記アクセス禁止された無線技術タイプについての前記情報を取得するように特に構成される請求項１に記載のユーザ機器。
【請求項６】
ネットワーク側に、アクセスサポート可能な無線技術タイプについての情報、又はアクセス禁止された無線技術タイプについての情報の要求メッセージを送信するように構成された送信ユニットと、
前記ネットワーク側によってフィードバックされた応答メッセージを受信するように構成された第２の受信ユニットであって、前記応答メッセージは、前記アクセスサポート可能な無線技術タイプについての前記情報、又は前記アクセス禁止された無線技術タイプについての前記情報を含む第２の受信ユニットを更に備える前記ユーザ機器であって、
前記決定ユニットは、
前記第２の受信ユニットによって受信された前記応答メッセージを使用することによって、前記アクセスサポート可能な無線技術タイプについての前記情報、又は前記アクセス禁止された無線技術タイプについての前記情報を取得するように特に構成される請求項１に記載のユーザ機器。
【請求項７】
前記決定ユニットは、前記アクセスサポート可能な無線技術タイプについての前記情報、又は前記アクセス禁止された無線アクセスタイプについての前記情報を、以下の方式で、すなわち、
前記ユーザ機器が、ネットワーク側のデバイスにネットワーク登録要求を送信し、前記ネットワーク側のデバイスによってフィードバックされたネットワーク登録拒否メッセージを受信した場合、登録が要求されたネットワークに対応する無線アクセス技術タイプについての情報を、アクセス禁止された無線技術タイプについての情報として保存して、取得する請求項１に記載のユーザ機器。
【請求項８】
前記ネットワーク登録拒否メッセージは、識別情報を伝送し、前記識別情報は、登録が要求された前記ネットワークに対応する無線アクセス技術タイプが前記ネットワーク側のアクセス禁止された無線アクセス技術タイプであることを示すのに使用される請求項７に記載のユーザ機器。
【請求項９】
前記決定ユニットは、
前記アクセスサポート可能な無線技術タイプについての前記情報、又は前記アクセス禁止された無線アクセスタイプについての前記情報を更新するように、且つ前記更新された、前記アクセスサポート可能な無線技術タイプについての情報、又は前記アクセス禁止された無線アクセスタイプについての情報に従って、利用可能な無線技術タイプを決定するように特に構成される請求項１に記載のユーザ機器。
【請求項１０】
ユーザ機器のデータ処理方法であって、
前記ユーザ機器がネットワーク探索を実行する必要があると決定された場合、取得された、アクセスサポート可能な無線技術タイプについての情報、又はアクセス禁止された無線アクセスタイプについての情報に従って、利用可能な無線技術タイプを決定するステップと、
前記決定された利用可能な無線技術タイプに従って、前記利用可能な無線技術タイプに対応する利用可能なネットワークを探索するステップであって、前記利用可能なネットワークは、データを処理するために前記ユーザ機器によって使用されるステップとを備える方法。
【請求項１１】
前記ユーザ機器がネットワーク探索を実行する必要があると前記決定するステップは、
前記ユーザ機器がネットワークに登録すると決定された場合、前記ユーザ機器がネットワーク探索を実行する必要があると決定するステップ、又は
前記ユーザ機器がセルを測定すると決定された場合、前記ユーザ機器がネットワーク探索を実行する必要があると決定するステップを備える請求項１０に記載の方法。
【請求項１２】
前記アクセスサポート可能な無線技術タイプについての前記取得された情報は、
前記ユーザ機器の加入者ＩＤモジュールのアクセスサポート可能な無線技術タイプ、及び前記ユーザ機器のアクセスサポート可能な無線技術タイプを含み、
前記アクセス禁止された無線アクセスタイプについての前記取得された情報は、
前記ユーザ機器の前記加入者ＩＤモジュールのアクセス禁止された無線技術タイプ、及び前記ユーザ機器のアクセス禁止された無線技術タイプを含む請求項１０に記載の方法。
【請求項１３】
アクセスサポート可能な無線技術タイプについての情報、又はアクセス禁止された無線技術タイプについての情報を前記取得するステップは、
前記ユーザ機器の加入者ＩＤモジュールにあらかじめ保存されたアクセスサポート可能な無線技術タイプについての情報、又はアクセス禁止された無線技術タイプについての情報から、前記アクセスサポート可能な無線技術タイプについての前記情報、又は前記アクセス禁止された無線技術タイプについての前記情報を取得するステップを備える請求項１０に記載の方法。
【請求項１４】
ネットワーク側によって送信されたアクセスサポート可能な無線技術タイプについての情報、又はアクセス禁止された無線技術タイプについての情報を受信するステップを更に備える方法であって、
アクセスサポート可能な無線技術タイプについての情報、又はアクセス禁止された無線技術タイプについての情報を前記取得するステップは、
前記アクセスサポート可能な無線技術タイプについての前記受信された情報、又は前記アクセス禁止された無線技術タイプについての前記受信された情報を使用することによって、前記アクセスサポート可能な無線技術タイプについての前記情報、又は前記アクセス禁止された無線技術タイプについての前記情報を取得するステップを備える請求項１０に記載の方法。
【請求項１５】
ネットワーク側に、アクセスサポート可能な無線技術タイプについての情報、又はアクセス禁止された無線技術タイプについての情報の要求メッセージを送信するステップと、
前記ネットワーク側によってフィードバックされた応答メッセージを受信するステップであって、前記応答メッセージは、前記アクセスサポート可能な無線技術タイプについての前記情報、又は前記アクセス禁止された無線技術タイプについての前記情報を含むステップとを更に備える方法であって、
アクセスサポート可能な無線技術タイプについての情報、又はアクセス禁止された無線技術タイプについての情報を前記取得するステップは、
前記受信された応答メッセージを使用することによって、前記アクセスサポート可能な無線技術タイプについての前記情報、又は前記アクセス禁止された無線技術タイプについての前記情報を取得するステップを備える請求項１０に記載の方法。
【請求項１６】
前記アクセスサポート可能な無線技術タイプについての前記情報、又は前記アクセス禁止された無線アクセスタイプについての前記情報は、以下の方式で、すなわち、前記ユーザ機器が、ネットワーク側のデバイスにネットワーク登録要求を送信し、前記ネットワーク側のデバイスによってフィードバックされたネットワーク登録拒否メッセージを受信した場合、登録が要求されたネットワークに対応する無線アクセス技術タイプについての情報を、アクセス禁止された無線技術タイプについての情報として保存して、取得される請求項１０に記載の方法。
【請求項１７】
前記ネットワーク登録拒否メッセージは、識別情報を伝送し、前記識別情報は、登録が要求された前記ネットワークに対応する無線アクセス技術タイプが前記ネットワーク側のアクセス禁止された無線アクセス技術タイプであることを示すのに使用される請求項１６に記載の方法。
【請求項１８】
取得された、アクセスサポート可能な無線技術タイプについての情報、又はアクセス禁止された無線アクセスタイプについての情報に従って、利用可能な無線技術タイプを前記決定するステップは、
前記アクセスサポート可能な無線技術タイプについての前記情報、又は前記アクセス禁止された無線アクセスタイプについての前記情報を更新するステップと、前記更新された、前記アクセスサポート可能な無線技術タイプについての情報、又は前記アクセス禁止された無線アクセスタイプについての情報に従って、利用可能な無線技術タイプを決定するステップとを備える請求項１０に記載の方法。
【発明の詳細な説明】
【技術分野】
【０００１】
本発明の実施形態は、通信分野に関し、詳細には、ユーザ機器のデータ処理方法、及びデバイスに関する。
【背景技術】
【０００２】
現在、モバイル通信技術の分野において、第２世代モバイル通信技術（２Ｇ）及び第３世代モバイル通信技術（３Ｇ）が、第４世代モバイル通信技術（４Ｇ）と共存する。通信事業者は、様々な異なる標準のネットワークを同時に運用し、様々なネットワーク標準をサポートすることができるマルチモードユーザ機器も出現する。例えば、マルチモードユーザ機器は、ユーザが、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ、グローバルシステムフォーモバイルコミュニケーションズ）ネットワーク、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ユニバーサルモバイルテレコミュニケーションズシステム）ネットワーク、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多元接続）ネットワーク、ＬＴＥ（Ｌｏｎｇ  Ｔｅｒｍ  Ｅｖｏｌｕｔｉｏｎ、ロングタームエボリューション）ネットワークなどにアクセスするのを可能にすることができる。
【０００３】
異なるネットワーク標準をサポートすることができるマルチモードユーザ機器がネットワークに登録すると、そのユーザ機器は、そのユーザ機器によってサポートされるネットワーク標準に準拠して、それらのネットワーク標準の優先順位によりネットワークに登録されるように別々に試みる。ユーザ機器が現在、アクセスしようと試みるネットワークがＬＴＥネットワークであるが、ユーザ機器がそのネットワークにアクセスする許可を有さない場合、そのネットワークは、登録拒否メッセージをフィードバックする。ネットワーク側によって送信された登録拒否メッセージを受信すると、ユーザ機器は、別の標準のネットワークにアクセスしようと試みる。
【０００４】
しかし、そのネットワークに登録する際、ユーザ機器は、大量のシグナリング対話をトリガする複数の試行を行う必要があり、このことは、ネットワーク負荷を増大させ、ネットワーク登録時間を長引かせて、ユーザ機器の消費電力の増加をもたらす。
【発明の概要】
【０００５】
以上のことに鑑みて、本発明の実施形態は、ネットワーク負荷が増大させられ、ユーザ機器の消費電力が増加させられる問題を解決するように、ユーザ機器のデータ処理方法、及びデバイスを提供する。
【０００６】
したがって、以下の技術的ソリューションが、本発明の実施形態において使用される。
【０００７】
本発明の実施形態の第１の態様によれば、ユーザ機器が開示され、この機器は、
ユーザ機器がネットワーク探索を実行する必要があると決定された場合、取得された、アクセスサポート可能な無線技術タイプについての情報、又はアクセス禁止された無線アクセスタイプについての情報により、利用可能な無線技術タイプを決定するように構成された決定ユニットと、
決定ユニットによって決定された利用可能な無線技術タイプにより、その利用可能な無線技術タイプに対応する利用可能なネットワークを探索するように構成された探索ユニットであって、利用可能なネットワークは、データを処理するためにユーザ機器によって使用される探索ユニットとを含む。
【０００８】
第１の態様の第１の可能な実装方式において、決定ユニットは、
ユーザ機器がネットワークに登録すると決定された場合、ユーザ機器がネットワーク探索を実行する必要があると決定するように、又は
ユーザ機器がセルを測定すると決定された場合、ユーザ機器がネットワーク探索を実行する必要があると決定するように特に構成される。
【０００９】
第１の態様の第２の可能な実装方式において、決定ユニットによって取得されるアクセスサポート可能な無線技術タイプについての情報は、
ユーザ機器の加入者ＩＤモジュールのアクセスサポート可能な無線技術タイプ、及びユーザ機器のアクセスサポート可能な無線技術タイプを含み、
決定ユニットによって取得されるアクセスサポート可能な無線技術タイプについての情報は、
ユーザ機器の加入者ＩＤモジュールのアクセス禁止された無線技術タイプ、及びユーザ機器のアクセス禁止された無線技術タイプを含む。
【００１０】
第１の態様の第３の可能な実装方式において、決定ユニットは、
ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得するように特に構成される。
【００１１】
第１の態様の第４の可能な実装方式において、ユーザ機器は、
ネットワーク側によって送信されたアクセスサポート可能な無線技術タイプについての情報、又はアクセス禁止された無線技術タイプについての情報を受信するように構成された第１の受信ユニットを更に含み、
決定ユニットは、
第１の受信ユニットによって受信されたアクセスサポート可能な無線技術タイプについての情報、又はアクセス禁止された無線技術タイプについての情報を使用することによって、アクセスサポート可能な無線技術タイプについての情報、又はアクセス禁止された無線技術タイプについての情報を取得するように特に構成される。
【００１２】
第１の態様の第５の可能な実装方式において、ユーザ機器は、
ネットワーク側に、アクセスサポート可能な無線技術タイプについての情報、又はアクセス禁止された無線技術タイプについての情報の要求メッセージを送信するように構成された送信ユニットと、
ネットワーク側によってフィードバックされた応答メッセージを受信するように構成された第２の受信ユニットであって、応答メッセージは、アクセスサポート可能な無線技術タイプについての情報、又はアクセス禁止された無線技術タイプについての情報を含む第２の受信ユニットを更に含み、
決定ユニットは、
第２の受信ユニットによって受信された応答メッセージを使用することによって、アクセスサポート可能な無線技術タイプについての情報、又はアクセス禁止された無線技術タイプについての情報を取得するように特に構成される。
【００１３】
第１の態様の第６の可能な実装方式において、決定ユニットは、アクセスサポート可能な無線技術タイプについての情報、又はアクセス禁止された無線アクセスタイプについての情報を、以下の方式で、すなわち、
ユーザ機器が、ネットワーク側のデバイスにネットワーク登録要求を送信し、ネットワーク側のデバイスによってフィードバックされたネットワーク登録拒否メッセージを受信した場合、登録が要求されたネットワークに対応する無線アクセス技術タイプについての情報を、アクセス禁止された無線技術タイプについての情報として保存して、取得する。
【００１４】
第１の態様の第６の可能な実装方式を参照して、第７の可能な実装方式において、ネットワーク登録拒否メッセージは、識別情報を伝送し、識別情報は、登録が要求されたネットワークに対応する無線アクセス技術タイプがネットワーク側のアクセス禁止された無線アクセス技術タイプであることを示すのに使用される。
【００１５】
第１の態様の第８の可能な実装方式において、決定ユニットは、
アクセスサポート可能な無線技術タイプについての情報、又はアクセス禁止された無線アクセスタイプについての情報を更新するように、且つ更新された、アクセスサポート可能な無線技術タイプについての情報、又はアクセス禁止された無線アクセスタイプについての情報により、利用可能な無線技術タイプを決定するように特に構成される。
【００１６】
本発明の実施形態の第２の態様によれば、ユーザ機器のデータ処理方法が開示され、この方法は、
ユーザ機器がネットワーク探索を実行する必要があると決定された場合、取得された、アクセスサポート可能な無線技術タイプについての情報、又はアクセス禁止された無線アクセスタイプについての情報により、利用可能な無線技術タイプを決定すること、及び
決定された利用可能な無線技術タイプにより、その利用可能な無線技術タイプに対応する利用可能なネットワークを探索することであって、利用可能なネットワークは、データを処理するためにユーザ機器によって使用される、探索することを含む。
【００１７】
第２の態様の第１の可能な実装方式において、ユーザ機器がネットワーク探索を実行する必要があると決定することは、
ユーザ機器がネットワークに登録すると決定された場合、ユーザ機器がネットワーク探索を実行する必要があると決定すること、又は
ユーザ機器がセルを測定すると決定された場合、ユーザ機器がネットワーク探索を実行する必要があると決定することを含む。
【００１８】
第２の態様の第２の可能な実装方式において、アクセスサポート可能な無線技術タイプについての取得された情報は、
ユーザ機器の加入者ＩＤモジュールのアクセスサポート可能な無線技術タイプ、及びユーザ機器のアクセスサポート可能な無線技術タイプを含み、
アクセス禁止された無線アクセスタイプについての取得された情報は、
ユーザ機器の加入者ＩＤモジュールのアクセス禁止された無線技術タイプ、及びユーザ機器のアクセス禁止された無線技術タイプを含む。
【００１９】
第２の態様の第３の可能な実装方式において、アクセスサポート可能な無線技術タイプについての情報、又はアクセス禁止された無線技術タイプについての情報を取得することは、
ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得することを含む。
【００２０】
第２の態様の第４の可能な実装方式において、この方法は、
ネットワーク側によって送信されたアクセスサポート可能な無線技術タイプについての情報、又はアクセス禁止された無線技術タイプについての情報を受信することを更に含み、
アクセスサポート可能な無線技術タイプについての情報、又はアクセス禁止された無線技術タイプについての情報を取得することは、
アクセスサポート可能な無線技術タイプについての受信された情報、又はアクセス禁止された無線技術タイプについての受信された情報を使用することによって、アクセスサポート可能な無線技術タイプについての情報、又はアクセス禁止された無線技術タイプについての情報を取得することを含む。
【００２１】
第２の態様の第５の可能な実装方式において、この方法は、
ネットワーク側に、アクセスサポート可能な無線技術タイプについての情報、又はアクセス禁止された無線技術タイプについての情報の要求メッセージを送信すること、及び
ネットワーク側によってフィードバックされた応答メッセージを受信することであって、応答メッセージは、アクセスサポート可能な無線技術タイプについての情報、又はアクセス禁止された無線技術タイプについての情報を含む、受信することを更に含み、
アクセスサポート可能な無線技術タイプについての情報、及び／又はアクセス禁止された無線技術タイプについての情報を取得することは、
受信された応答メッセージを使用することによって、アクセスサポート可能な無線技術タイプについての情報、又はアクセス禁止された無線技術タイプについての情報を取得することを含む。
【００２２】
第２の態様の第６の可能な実装方式において、アクセスサポート可能な無線技術タイプについての情報、又はアクセス禁止された無線アクセスタイプについての情報は、以下の方式で、すなわち、ユーザ機器が、ネットワーク側のデバイスにネットワーク登録要求を送信し、ネットワーク側のデバイスによってフィードバックされたネットワーク登録拒否メッセージを受信した場合、登録が要求されたネットワークに対応する無線アクセス技術タイプについての情報を、アクセス禁止された無線技術タイプについての情報として保存して、取得される。
【００２３】
第２の態様の第６の可能な実装方式を参照して、第７の可能な実装方式において、ネットワーク登録拒否メッセージは、識別情報を伝送し、識別情報は、登録が要求されたネットワークに対応する無線アクセス技術タイプがネットワーク側のアクセス禁止された無線アクセス技術タイプであることを示すのに使用される。
【００２４】
第２の態様の第８の可能な実装方式において、取得された、アクセスサポート可能な無線技術タイプについての情報、又はアクセス禁止された無線アクセスタイプについての情報により、利用可能な無線技術タイプを決定することは、
アクセスサポート可能な無線技術タイプについての情報、又はアクセス禁止された無線アクセスタイプについての情報を更新すること、及び更新された、アクセスサポート可能な無線技術タイプについての情報、又はアクセス禁止された無線アクセスタイプについての情報により、利用可能な無線技術タイプを決定することを含む。
【００２５】
本発明の実施形態において、ユーザ機器がネットワーク探索を実行する必要があると判定された場合、利用可能な無線技術タイプが、取得された、アクセスサポート可能な無線技術タイプについての情報、又はアクセス禁止された無線アクセスタイプについての情報により決定され、ユーザ機器がネットワーク探索を実行する際、その利用可能な無線技術タイプに対応するネットワークが探索されて、そのネットワークを使用することによってデータを処理するようにする。本発明において、ネットワーク登録などの、ネットワーク探索が実行される必要があるデータ操作が実行される場合、利用可能な無線技術タイプに対応する利用可能なネットワークだけが探索され、ユーザ機器のアクセス禁止された無線技術タイプに対応するネットワークは探索されず、したがって、不必要なネットワークシグナリング負荷が低減され、ユーザ機器のネットワーク探索時間が低減され、ユーザ機器の消費電力が低減される。
【００２６】
本発明の実施形態における、又は従来技術における技術的ソリューションをより明確に説明するために、以下が、それらの実施形態又は従来技術を説明するために要求される添付の図面について簡潔に説明する。明らかに、以下の説明における添付の図面は、本発明のいくつかの実施形態を示すに過ぎず、当業者は、それでも、創作的な努力なしに、これらの添付の図面から他の図面を導き出すことが可能である。
【図面の簡単な説明】
【００２７】
【図１】本発明によるユーザ機器のデータ処理方法の実施形態を示す概略図である。
【図２】本発明によるユーザ機器のデータ処理方法の別の実施形態を示す概略図である。
【図３】本発明によるユーザ機器のデータ処理方法の更に別の実施形態を示す概略図である。
【図４】本発明によるユーザ機器のデータ処理方法の更に別の実施形態を示す概略図である。
【図５】本発明によるユーザ機器の実施形態を示す概略図である。
【図６】本発明によるユーザ機器の別の実施形態を示す概略図である。
【発明を実施するための形態】
【００２８】
現在、モバイル通信技術の分野において、第２世代モバイル通信技術（２Ｇ）及び第３世代モバイル通信技術（３Ｇ）が、第４世代モバイル通信技術（４Ｇ）と共存する。通信事業者は、様々な異なる標準のネットワークを同時に運用し、様々なネットワーク標準をサポートすることができるマルチモードユーザ機器も出現する。例えば、マルチモードユーザ機器は、ユーザが、ＧＳＭネットワーク、ＵＭＴＳネットワーク、ＷＣＤＭＡネットワーク、ＬＴＥネットワークなどにアクセスするのを可能にすることができる。異なるネットワーク標準をサポートすることができるマルチモードユーザ機器がネットワークに登録すると、そのユーザ機器は、そのユーザ機器によってサポートされるネットワーク標準に準拠して、それらのネットワーク標準の優先順位によりネットワークに登録されるように別々に試みる。例えば、ユーザ機器が、ユーザがＧＳＭネットワーク、ＷＣＤＭＡネットワーク、及びＬＴＥネットワークにアクセスするのを可能にすることができる場合、ユーザによって使用されるＵＳＩＭカードは、ＷＣＤＭＡネットワーク及びＧＳＭネットワークだけにしか登録され得ない。しかし、マルチモードユーザ機器の電源がオンになると、無線アクセスタイプ（Ｒａｄｉｏ  Ａｃｃｅｓｓ  Ｔｙｐｅ，ＲＡＴ）の優先レベルがそのマルチモードユーザ機器において設定されていない場合、その機器は、ＬＴＥネットワークをまず探索し、ＬＴＥネットワークに登録されるように試みる。ネットワーク側によって戻されたネットワーク登録拒否メッセージを受信する場合、ユーザ機器は、ＷＣＤＭＡネットワークを探索し、ＷＣＤＭＡネットワークに登録されるように試みる。ＷＣＤＭＡネットワークにアクセスした後、ユーザは、現在のロケーション区域においてＬＴＥネットワークを探索して、ＬＴＥネットワークに登録されるように再び試みることはしないが、それでも、区域をまたぐ際、ＬＴＥネットワークを探索して、ＬＴＥネットワークに登録されるように試みて、このことは、大量のシグナリングリソースを浪費し、ネットワーク負荷を増大させ、ネットワーク登録時間を長引かせて、ユーザ機器の消費電力の増加をもたらす。更に、ネットワークに登録されることが拒否された後、ユーザ機器は、別の標準のネットワークに登録されるように試みる。この事例において、別の標準のデータサービスが使用されることも不可能であり、このことは、ユーザ機器のデータ伝送に深刻に影響する。
【００２９】
更に、アイドル状態でセル再選択測定を実行する際、ユーザ機器は、優先レベルにおけるＲＡＴに対応するネットワークにおけるセルも測定し、例えば、機器は、ＬＴＥネットワークにおけるセルを測定するが、セルハンドオーバ中にＬＴＥネットワークにおけるセルにハンドオーバされることは不可能である。したがって、ユーザ機器によって不必要なセル測定が実行されることがもたらされ、ユーザ機器の消費電力が増加させられ、ネットワークリソースが浪費される。
【００３０】
ネットワーク負荷が増大させられ、ユーザ機器の消費電力が増加させられるという従来技術に存在する技術的問題を解決するために、本発明は、ネットワーク負荷を低減し、ユーザ機器の消費電力を低減するように、ネットワーク負荷が増大させられ、ユーザ機器の消費電力が増加させられる問題を解決するように、ユーザ機器のデータ処理方法、及びデバイスを提供する。
【００３１】
本発明における技術的ソリューションを当業者によりよく理解させるのに、以下が、本発明の実施形態における添付の図面を参照して、本発明の実施形態における技術的ソリューションについて明確に、完全に説明する。明らかに、説明される実施形態は、本発明の実施形態のすべてではなく、いくつかに過ぎない。創作的な努力なしに本発明の実施形態に基づいて当業者によって得られる他のすべての実施形態は、本発明の保護範囲に入るものとする。
【００３２】
実施形態
図１は、本発明によるユーザ機器のデータ処理方法の実施形態の概略図である。
【００３３】
図１に示される方法は、ユーザ機器に適用され、ユーザ機器は、異なる通信ネットワークシステムに適用されることが可能である。ユーザ機器は、様々な無線アクセス技術タイプ（ＲＡＴ，Ｒａｄｉｏ  Ａｃｃｅｓｓ  Ｔｙｐｅ）に対応するネットワークをサポートすることができるマルチモードユーザ機器である。ユーザ機器がアクセスすることが可能なネットワークは、ＧＳＭネットワーク、ＵＭＴＳネットワーク、ＣＤＭＡネットワーク、ＴＤＣＤＭＡネットワーク、ＷＣＤＭＡネットワーク、ＳＡＥ／ＬＴＥネットワークなどを含むが、以上には限定されない。
【００３４】
Ｓ１０１  ユーザ機器がネットワーク探索を実行する必要があると決定された場合、取得された、アクセスサポート可能な無線技術タイプについての情報、又はアクセス禁止された無線アクセスタイプについての情報により、利用可能な無線技術タイプを決定する。
【００３５】
可能な実装方式において、ユーザ機器がネットワーク探索を実行する必要があると決定することは、ユーザ機器がネットワークに登録すると決定された場合、ユーザ機器がネットワーク探索を実行する必要があると決定することを含む。ユーザ機器の電源がオンになる、又はユーザ機器がカバレッジの穴からカバレッジ区域に入ると、ユーザ機器は、ネットワーク登録を実行するようにネットワークを探索する必要があり、滞在すべき適切なセルを選択する。このプロセスは、一般に、セル選択と呼ばれる。ユーザ機器が電源オフ状態から電源オン状態に切り換えられると、又はカバレッジの穴からカバレッジ区域に入ると、ユーザ機器は、ネットワークに登録する。この事例において、ユーザ機器はネットワーク探索を実行する必要があると決定される。
【００３６】
可能な実装方式において、ユーザ機器がネットワーク探索を実行する必要があると決定することは、ユーザ機器がセルを測定すると決定された場合、ユーザ機器がネットワーク探索を実行する必要があると決定することを含む。ユーザ機器がセルを測定すると決定することは、アイドル状態にあるユーザ機器がセル再選択測定を実行すると決定すること、又は専用接続状態にあるユーザ機器がセルを測定すると決定することを含むことも可能である。ユーザ機器は、一般に、２つの状態、すなわち、接続状態（Ｃｏｎｎｅｃｔｅｄ）及びアイドル状態（Ｉｄｌｅ）を有する。ユーザ機器が専用接続状態にある場合、ユーザ機器とネットワーク側は、互いの間でデータ伝送を実行すること、例えば、呼を行うこと、並びにインターネットをサーフィンすること、又はＳＭＳメッセージを送信することなどの別のデータサービスを実行することが可能である。ユーザ機器がアイドル状態（Ｉｄｌｅ）にある場合、ユーザ機器は、セル再選択測定を実行する。すなわち、ユーザ機器は、ユーザ機器の現在のサービングセルの信号品質、及びユーザ機器の隣接セルの信号品質を監視して、セル再選択をトリガするかどうかを決定するようにして、その結果、ユーザ機器を現在のサービングセルから再選択されたセルにハンドオーバする。アイドル状態にあるユーザ機器がセルを測定する場合、ユーザ機器はまず、ネットワーク探索も実行し、したがって、アイドル状態にあるユーザ機器がセル再選択測定を実行すると決定された場合、ユーザ機器は、ネットワーク探索を実行する必要があると決定される。ユーザ機器が専用接続状態にある場合、データサービスが正常に実行されることを確実にするために、ユーザ機器は、ネットワーク側によって配信された測定制御メッセージによりセルを測定する。しかし、専用接続状態にあるユーザ機器がセルを測定する場合、ユーザ機器はまず、ネットワーク探索も実行し、したがって、専用接続状態にあるユーザ機器がセルを測定すると決定された場合、ユーザ機器は、ネットワーク探索を実行する必要があると決定される。
【００３７】
ユーザ機器がネットワーク探索を実行する必要があるいくつかの典型的な適用状況が前段で説明されることに留意されたい。当業者は、ユーザ機器がネットワーク探索を実行する必要がある他のシナリオ又は実装方式が本発明の方法に適用されることも可能であり、それらのシナリオ又は実装方式は、本明細書において限定されないことを理解することができる。創作的な努力なしに当業者によって得られる他の実装方式は、本発明の保護範囲にすべて含まれるものとする。
【００３８】
ユーザ機器がネットワーク探索を実行する必要があると決定された場合、アクセスサポート可能な無線技術タイプについての情報、又はアクセス禁止された無線技術タイプについての情報が取得される。アクセスサポート可能な無線技術タイプについての情報は、ユーザ機器の加入者ＩＤモジュールのアクセスサポート可能な無線技術タイプ、及びユーザ機器のアクセスサポート可能な無線技術タイプを含む。アクセス禁止された無線アクセスタイプについての情報は、ユーザ機器の加入者ＩＤモジュールのアクセス禁止された無線技術タイプ、及びユーザ機器のアクセス禁止された無線技術タイプを含む。ユーザ機器の加入者ＩＤモジュールのアクセスサポート可能な無線技術タイプは、例えば、ユーザ機器のＳＩＭカード及びＵＳＩＭカード（本明細書において限定されない）のアクセスサポート可能な無線技術タイプについての情報を含むことが可能であることに留意されたい。可能な実装方式において、ユーザ機器の加入者ＩＤモジュールのアクセスサポート可能な無線技術タイプは更に、ユーザ機器がネットワーク側からサブスクライブするネットワークに対応する無線技術タイプであることが可能である。ユーザ機器のアクセスサポート可能な無線技術タイプは、ユーザ機器によってサポートされる無線技術タイプであることが可能である。例が、説明のために使用される。ユーザ機器のアクセスサポート可能な無線技術タイプがＧＳＭ、ＷＣＤＭＡ、及びＬＴＥであることが可能であり、ユーザ機器の加入者ＩＤモジュールのアクセスサポート可能な無線技術タイプがＷＣＤＭＡ及びＧＳＭである場合、ユーザ機器のアクセスサポート可能な無線技術タイプ、及びユーザ機器の加入者ＩＤモジュールのアクセスサポート可能な無線技術タイプにより、アクセスサポート可能な無線技術タイプは、ＷＣＤＭＡ及びＧＳＭであると決定される。別の例として、ユーザ機器のアクセスサポート可能な無線技術タイプがＧＳＭであることが可能であり、ユーザ機器のユーザ機器のアクセスサポート可能な無線技術タイプがＷＣＤＭＡである場合、アクセスサポート可能な無線技術タイプは、ＧＳＭであると決定される。同様に、ユーザ機器の加入者ＩＤモジュールのアクセス禁止された無線技術タイプは、例えば、ユーザ機器のＳＩＭカード及びＵＳＩＭカード（本明細書において限定されない）のアクセス禁止された無線技術タイプについての情報を含むことが可能である。ユーザ機器のアクセス禁止された無線技術タイプは、ユーザ機器のアクセスサポートされない無線技術タイプであることが可能であり、例えば、次のこと、すなわち、ユーザ機器が、３Ｇをサポートすることができ、ユーザ機器のアクセス禁止された無線技術タイプがＬＴＥであり、ユーザ機器の加入者ＩＤモジュールが、例えば、２ＧをサポートするＳＩＭカードであり、したがって、ユーザ機器の加入者ＩＤモジュールのアクセス禁止された無線技術タイプがＷＣＤＭＡ、ＴＤＣＤＭＡ、又はＬＴＥであることを含むことが可能である。この事例において、決定されたアクセス禁止された無線技術タイプは、ＷＣＤＭＡ、ＴＤＣＤＭＡ、又はＬＴＥであることが可能である。以上のことは、例示的な説明に過ぎず、本発明の限定とは見なされない。
【００３９】
可能な実装方式において、アクセスサポート可能な無線技術タイプについての情報、又はアクセス禁止された無線技術タイプについての情報が、ユーザ機器の加入者ＩＤモジュールにあらかじめ記憶される。加入者ＩＤモジュールは、ＳＩＭカード、ＵＳＩＭカード、又は加入者ＩＤ識別を実行するために使用される別のタイプのモジュール若しくはカードであることが可能である。アクセスサポート可能な無線技術タイプについての情報、又はアクセス禁止された無線技術タイプについての情報を取得することは、ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得することを含む。アクセス禁止された無線技術タイプについての情報は、ユーザ機器のアクセス禁止された無線技術タイプを含む。例えば、ユーザ機器のアクセスサポート可能な無線技術タイプ（ＲＡＴ，Ｒａｄｉｏ  Ａｃｃｅｓｓ  Ｔｙｐｅ）が、ＬＴＥ、ＷＣＤＭＡ、ＧＳＭなどを含む。ユーザ機器のＳＩＭカードに記憶されたアクセス禁止されたタイプが、ＷＣＤＭＡである。ユーザ機器が、加入者ＩＤモジュールから、アクセスサポート可能な無線技術タイプについての情報、又はアクセス禁止された無線技術タイプについての情報を読み取った後、アクセスサポート可能な無線技術タイプについての情報、又はアクセス禁止された無線技術タイプについての情報は、別のストレージロケーションに記憶されること、例えば、アクセス情報データベースに保存されることも可能であることに留意されたい。次に、アクセスサポート可能な無線技術タイプについての情報、又はアクセス禁止された無線技術タイプについての情報が再び取得される必要がある場合、対応する情報は、ＳＩＭカード又はＵＳＩＭカードを読み取る必要なしに、アクセス情報データベースから直接に読み取られることが可能である。
【００４０】
別の可能な実装方式において、ネットワーク側が、ユーザ機器に、アクセスサポート可能な無線技術タイプについての情報、又はアクセス禁止された無線技術タイプについての情報を能動的にプッシュすることが可能であり、ユーザ機器が、ネットワーク側によって送信されたアクセスサポート可能な無線技術タイプについての情報、又はアクセス禁止された無線技術タイプについての情報を受信し、アクセスサポート可能な無線技術タイプについての受信された情報、又はアクセス禁止された無線技術タイプについての受信された情報を使用することによって、ユーザ機器に対応するアクセス禁止された無線技術タイプについての情報を取得する。例えば、可能な実装方式において、ユーザ機器ＵＥが、ネットワークに登録する、又はネットワーク側に対してリンクを確立する場合、ＵＥは、無線技術タイプについての情報をネットワーク側に報告することが可能であり、無線技術タイプについての情報は、ユーザ機器の加入者ＩＤモジュールのアクセスサポート可能な無線技術タイプ、及び／又はユーザ機器のアクセスサポート可能な無線技術タイプを含むことが可能である。すなわち、ネットワーク側に報告する際、ＵＥは、ＵＥによってサポートされる能力、及びＳＩＭによってサポートされる能力に基づいて、ＵＥがアクセスすることが可能な無線技術タイプを決定し、次に、その無線技術タイプをネットワーク側に報告することが可能である。更に、ネットワーク側は、ＵＥに対応するサブスクリプション情報を更に保存して、ＵＥによってサポートされ得る無線技術タイプ、又はアクセス禁止された無線技術タイプを決定するようにすることが可能である（例えば、この決定することは、サブスクリプション情報を使用することによって実行される）。ネットワーク側は、ＵＥに対応する無線技術タイプについての情報を保存することが可能であり、ネットワーク側は更に、その情報をＵＥに能動的にプッシュすることが可能である。代替として、ＵＥの要求が受信された場合、その情報がネットワーク側に送信される。
【００４１】
別の可能な実装方式において、ユーザ機器が、ネットワーク側から、アクセスサポート可能な無線技術タイプについての情報、又はアクセス禁止された無線技術タイプについての情報を要求することも可能である。特定の実施中、ユーザ機器が、ネットワーク側に、アクセスサポート可能な無線技術タイプについての情報、又はアクセス禁止された無線技術タイプについての情報の要求メッセージを送信し、ユーザ機器が、ネットワーク側によってフィードバックされた応答メッセージを受信し、応答メッセージは、アクセスサポート可能な無線技術タイプについての情報、又はアクセス禁止された無線技術タイプについての情報を含み、ユーザ機器は、受信された応答メッセージを使用することによって、アクセスサポート可能な無線技術タイプについての情報、又はアクセス禁止された無線技術タイプについての情報を取得する。
【００４２】
別の可能な実装方式において、ユーザ機器が、ネットワーク側がユーザ機器が登録されるのを拒否するネットワークに対応する無線アクセス技術タイプについての情報を、アクセス禁止された無線技術タイプについての情報として保存することが可能である。ユーザ機器に対応するアクセス禁止された無線技術タイプについての情報が取得される際、対応する情報が、アクセス禁止された無線技術タイプについての保存された情報を使用することによって取得される。特定の実施中、ネットワーク登録要求をネットワーク側のデバイスに送信し、ネットワーク側のデバイスによってフィードバックされたネットワーク登録拒否メッセージを受信した場合、ユーザ機器は、登録が要求されたネットワークに対応する無線アクセス技術タイプについての情報を、アクセス禁止された無線技術タイプについての情報として保存する。例えば、ユーザ機器が、ネットワークを初めて探索する際、ユーザ機器が、アクセスサポート可能な無線技術タイプについての情報、又はアクセス禁止された無線技術タイプについての情報を保存しないとき、ユーザ機器が、ネットワークに登録されるように試みて失敗し、ネットワーク側のデバイスによってフィードバックされたネットワーク登録拒否メッセージを受信した場合、ユーザ機器は、登録が要求されたネットワークに対応する無線アクセス技術タイプについての情報を、アクセス禁止された無線技術タイプについての情報として保存することが可能である。別の例として、ユーザ機器のサブスクリプション情報が更新される、又は無線技術タイプについての情報が更新される別の事例が生じる場合、最初の利用可能なネットワークが利用できなくなる。この事例において、ＵＥがネットワークに登録されるように試みることに失敗することももたらされる。この事例において、登録が要求されたネットワークに対応する無線アクセス技術タイプについての情報が、アクセス禁止された無線技術タイプについての情報として保存される。ネットワーク側のデバイスによってフィードバックされるネットワーク登録拒否メッセージは、識別情報を伝送し、識別情報は、登録が要求されたネットワークに対応する無線アクセス技術タイプがネットワーク側のアクセス禁止された無線アクセス技術タイプであることを示すのに使用される。
【００４３】
以上は、ユーザ機器に対応するアクセス禁止された無線技術タイプについての情報を取得するための４つの方式について説明する。当業者は、前述の方式が、独立に使用されることが可能であり、又は組合せで使用されることが可能であり、このことは、本明細書において限定されないことを理解することができる。
【００４４】
Ｓ１０２  決定された利用可能な無線技術タイプにより、その利用可能な無線技術タイプに対応する利用可能なネットワークを探索し、利用可能なネットワークは、データを処理するためにユーザ機器によって使用される。
【００４５】
ユーザ機器がネットワーク探索を実行する場合、利用可能な無線技術タイプに対応する利用可能なネットワーク。例が、説明のために使用される。ユーザ機器のアクセスサポート可能な無線技術タイプがＬＴＥ、ＷＣＤＭＡ、又はＧＳＭを含み、ユーザ機器に対応するアクセス禁止された無線技術タイプがＬＴＥである場合、ユーザ機器がネットワーク探索を実行する際、ＷＣＤＭＡネットワーク及びＧＳＭネットワークだけが探索される。別の例として、アクセスサポート可能な無線技術タイプについての情報が、ユーザ機器のアクセスサポート可能な無線技術タイプ（例えば、ＬＴＥ、ＷＣＤＭＡ、又はＧＳＭ）により決定され、ユーザ機器の加入者ＩＤモジュールのアクセスサポート可能な無線技術タイプ（ＧＳＭ）は、ＧＳＭである。
【００４６】
可能な実装方式において、ユーザ機器は、アクセスサポート可能な無線技術タイプについての情報、又はアクセス禁止された無線技術タイプについての情報を更に更新し、更新された、アクセスサポート可能な無線技術タイプについての情報、又はアクセス禁止された無線技術タイプについての情報により、利用可能な無線技術タイプを決定することが可能である。例えば、以下が含まれることが可能である。すなわち、ユーザ機器がネットワーク探索を実行する必要があると決定された場合、取得された、アクセスサポート可能な無線技術タイプについての情報、又はアクセス禁止された無線技術タイプについての情報により、利用可能な無線技術タイプを決定することは、特に、ユーザ機器がネットワーク探索を実行する必要があると決定された場合、アクセスサポート可能な無線技術タイプについての情報、又はアクセス禁止された無線アクセスタイプについての情報を更新すること、及び更新された、アクセスサポート可能な無線技術タイプについての情報、又はアクセス禁止された無線アクセスタイプについての情報により、利用可能な無線技術タイプを決定することであること。更新された、アクセスサポート可能な無線技術タイプについての情報、又は更新された、アクセス禁止された無線アクセスタイプについての情報は、以下の方式で取得されることが可能である。すなわち、ユーザによって入力されたネットワーク登録メッセージが受信されると、ネットワーク登録メッセージによりネットワーク側のデバイスにネットワーク登録要求を送信すること、及びネットワーク側のデバイスによってフィードバックされたネットワーク登録成功メッセージが受信され、且つアクセス禁止された無線技術タイプについてのあらかじめ保存された情報が、登録が要求されたネットワークに対応する無線技術タイプを含むと決定された場合、その無線技術タイプに対応するアクセス禁止された無線技術タイプについての情報を削除すること、又はネットワーク側のデバイスによってフィードバックされたネットワーク登録成功メッセージが受信され、且つアクセスサポート可能な無線技術タイプについてのあらかじめ保存された情報が、登録が要求されたネットワークに対応する無線技術タイプを含まないと決定された場合、その無線技術タイプを、アクセスサポート可能な無線技術タイプとして保存すること。このようにして、ユーザが手動で選択してネットワークに登録されるようにした場合、アクセスサポート可能な無線技術タイプについての対応する情報、又はアクセス禁止された無線アクセスタイプについての情報が、ネットワーク側によってフィードバックされた登録成功メッセージ又は登録拒否メッセージにより更新されることが可能である。もちろん、当業者は、アクセスサポート可能な無線技術タイプについての情報、又はアクセス禁止された無線アクセスタイプについての情報を更新するための方式は、柔軟で、様々であることが可能であり、例えば、更新された、ネットワーク側によって送信されたアクセスサポート可能な無線技術タイプについての情報、又はアクセス禁止された無線アクセスタイプについての情報を受信すること、又はネットワーク側に無線技術タイプについての情報更新要求を送信し、ネットワーク側の応答メッセージにより、アクセスサポート可能な無線技術タイプについての情報、又はアクセス禁止された無線アクセスタイプについての情報を更新することを含むことが可能であることを理解することができる。別の例として、アクセスサポート可能な無線技術タイプについての情報、又はアクセス禁止された無線アクセスタイプについての情報は、ユーザの入力情報、又はネットワーク側によってフィードバックされた別のタイプのメッセージを使用することによって更新され、このことは、本発明において限定されない。
【００４７】
本発明のこの実施形態において、ユーザ機器がネットワーク探索を実行する必要があると決定された場合、利用可能な無線技術タイプが、取得された、アクセスサポート可能な無線技術タイプについての情報、又はアクセス禁止された無線アクセスタイプについての情報により決定され、ユーザ機器がネットワーク探索を実行する際、その利用可能な無線技術タイプに対応するネットワークが探索されて、そのネットワークを使用することによってデータを処理するようにする。本発明において、ネットワーク登録などの、ネットワーク探索が実行される必要があるデータ操作が実行される場合、利用可能な無線技術タイプに対応する利用可能なネットワークだけが探索され、ユーザ機器のアクセス禁止された無線技術タイプに対応するネットワークは探索されず、したがって、不必要なネットワークシグナリング負荷が低減され、ユーザ機器のネットワーク探索時間が低減され、ユーザ機器の消費電力が低減される。
【００４８】
以下は、図２から図４を参照して本発明の方法のいくつかの特定の実装方式について説明する。以下の実施形態はすべて、図１の方法の代替又は変形である。当業者は、以下は例示的な説明に過ぎず、本発明の限定とは見なされないことを理解することができる。創作的な努力なしに、当業者によって以下の実施形態の代替、変形、及び組合せを作成することによって得られる他の実施形態はやはり、本発明の保護範囲に入るものとする。以下のすべての実施形態において、利用可能な無線技術タイプが、アクセス禁止された無線アクセスタイプについての取得された情報により決定される例が、説明のために使用されることに留意されたい。当業者は、以下の実施形態において説明される方法は、利用可能な無線技術タイプが、アクセス禁止された無線アクセスタイプについての取得された情報により決定される事例に適用されることも可能であることを理解することができる。
【００４９】
別の実施形態
図２は、本発明によるユーザ機器のデータ処理方法の別の実施形態の概略図である。
【００５０】
この実施形態において、ユーザ機器がネットワークに登録する例が、本発明において提供される方法を説明するために使用される。
【００５１】
Ｓ２０１  ユーザ機器の電源がオンになり、ネットワーク登録モードに入る。
【００５２】
Ｓ２０２  ユーザ機器が、ＳＩＭカードが交換されているかどうかを決定し、はいである場合、ステップＳ２０３に進む、又はいいえである場合、ステップＳ２０４に進む。
【００５３】
特定の実施中、ユーザ機器が、ＳＩＭカードに記憶されたＩＭＳＩ（国際モバイル加入者識別番号，Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）により、ＳＩＭカードが変更されたかどうかを決定する。ＩＭＳＩは、モバイル加入者を区別するための識別子であり、ＳＩＭカードに記憶され、モバイル加入者の有効な情報を区別するために使用されることが可能である。ＩＭＳＩが変更された場合、ＳＩＭカードが交換されたと決定される。この事例において、ステップＳ２０３に進み、ＳＩＭに記憶されたアクセス禁止されたＲＡＴについての情報を読み取る。
【００５４】
Ｓ２０３  ＳＩＭカードに記憶されたＩＭＳＩに対応する動作ＲＡＴについての情報、及びアクセス禁止されたＲＡＴについての情報を読み取る。
【００５５】
この実施形態において、ユーザ機器に対応する動作ＲＡＴ（すなわち、アクセスをサポートするＲＡＴ）についての情報、及びアクセス禁止されたＲＡＴについての情報が、ＳＩＭカードに記憶される。アクセス禁止されたＲＡＴについての情報は、以下の表に示されることが可能である。
【００５６】
【表１】
2017517927.tif 000003
【００５７】
前掲の表に、各ＳＩＭのＩＭＳＩに対応するＰＬＭＮ（Ｐｕｂｌｉｃ  Ｌａｎｄ  Ｍｏｂｉｌｅ  Ｎｅｔｗｏｒｋ，公共陸上モバイルネットワーク）の禁止されたＲＡＴの記述情報が記憶される。また、非ＰＬＭＮネットワークも、同様の情報、すなわち、非ＰＬＭＮネットワークに対応するアクセス禁止されたＲＡＴについての情報を記憶することが可能である。
【００５８】
特定の実施中、アクセス禁止されたＲＡＴの有効性（すなわち、有効時間又は有効性タイプ）が更に設定されることが可能である。アクセス禁止された無線技術タイプについての情報の有効性タイプは、以下を含む。すなわち、
（１）アクセス禁止された無線技術タイプについての情報は、常時、有効である、又は
（２）アクセス禁止された無線技術タイプについての情報は、ユーザ機器の電源がオフになった後、無効である、又は
（３）アクセス禁止された無線技術タイプについての情報は、事前設定された期間中、有効である。
【００５９】
例えば、アクセス禁止されたＲＡＴは、ＬＴＥ又はＷＣＤＭＡに設定されることが可能である。ＬＴＥの有効性とＷＣＤＭＡの有効性はともに、永久有効性であり、すなわち、そのＲＡＴへのアクセスは、ユーザが手動で登録することに成功しない限り、常時、禁止され、そのＲＡＴに対応するアクセス禁止された情報は、削除される。また、ＬＴＥの有効性は、ユーザ機器の電源がオフになった後、無効であるように設定されることも可能である。このようにして、ユーザ機器の電源が再びオンになった後、ＬＴＥが、アクセス可能なＲＡＴとして使用され、ユーザ機器は、電源オンの後、ＬＴＥで登録されるように試みる。ＷＣＤＭＡの有効タイプは、事前設定された時間内に有効であり、特定の時間を過ぎると無効であるように設定されることも可能であり、したがって、ＷＣＤＭＡは、再びアクセス可能な標準となることが可能であり、ユーザ機器は、ネットワーク探索を実行する際、ＷＣＤＭＡネットワークを再び探索することが可能である。
【００６０】
Ｓ２０４  アクセス禁止されたＲＡＴのリストを取得する。
【００６１】
ＳＩＭカードを交換する事例に関して、ＳＩＭカードからアクセス禁止されたＲＡＴについての情報を読み取った後、ユーザ機器が、その情報を、アクセス禁止されたモード情報ベースに記憶する。ＳＩＭカードを交換しない事例に関して、ユーザ機器は、アクセス禁止されたモード情報ベースからアクセス禁止されたＲＡＴについての対応する情報を直接に取得することが可能である。ユーザ機器のＩＭＳＩとアクセス禁止されたＲＡＴについての情報の間に対応関係が存在し、ユーザ機器は、ユーザ機器のＩＭＳＩについての情報を使用することによって、ユーザ機器に対応するアクセス禁止されたＲＡＴについての情報を取得する。
【００６２】
Ｓ２０５  優先レベルにより、ユーザ機器によってサポートされるアクセス可能なＲＡＴ範囲からＲＡＴを選択し、アクセス禁止されたＲＡＴのリストにより、現在のＲＡＴがアクセス禁止されたＲＡＴであるかどうかを決定し、はいである場合、ステップＳ２０６に進む、又はいいえである場合、ステップＳ２０９に進む。
【００６３】
Ｓ２０６  ユーザがネットワーク手動で選択するかどうかを決定し、ＲＡＴを選択する。はいである場合、ステップＳ２０７に進み、又はいいえである場合、ステップＳ２０８に進む。
【００６４】
Ｓ２０７  ＲＡＴを探索し、登録しようと試み、登録が成功した場合、そのＲＡＴに対応するアクセス禁止された情報を削除する。登録が失敗した場合、ユーザが別のネットワークを手動で選択するのを待ち、さもなければ、ステップＳ２０５に戻る。
【００６５】
Ｓ２０８  ＲＡＴを登録することを禁止し、Ｓ２０５に戻る。
【００６６】
Ｓ２０９  ＲＡＴを登録しようと試み、ステップＳ２１０に進む。
【００６７】
Ｓ２１０  登録がネットワークによって拒否されたかどうかを決定し、はいである場合、ステップＳ２１１に進む。
【００６８】
Ｓ２１１  ＲＡＴに対応する情報を、アクセス禁止されたＲＡＴについての情報に書き込み、有効タイプを設定する。デフォルトで、アクセス禁止されたＲＡＴについての情報は、電源オフの後、無効である、又は永久に有効であるように、又は特定のタイマがタイムアウトした後、無効であるように構成されることが可能であるものと見なされる。次に、ステップＳ２０５に進み、ネットワークを探索することを試みるように次のＲＡＴを再選択する。
【００６９】
ユーザ機器に記憶されたアクセス禁止されたＲＡＴについての情報のソースは、ユーザ機器の加入者ＩＤモジュール（ＳＩＭカード、ＵＩＣＣカード、又はＵＳＩＭカードなどの）にあらかじめ保存されたアクセス禁止されたＲＡＴについての情報からであることが可能であり、又はネットワーク側によって送信されたアクセス禁止されたＲＡＴについての更新された情報からであることが可能であり、ネットワーク側によってプッシュされた情報を受信した後、ユーザ機器が、ユーザ機器に記憶されたアクセス禁止されたＲＡＴについての情報を更新することに留意されたい。別の実装方式において、ユーザ機器が、ネットワークサーバからアクセス禁止されたＲＡＴについての情報を定期的に要求し、要求された情報を使用することによって、ユーザ機器に記憶されたアクセス禁止されたＲＡＴについての情報を更新することが可能である。別の可能な実装方式において、ユーザ機器が、ネットワーク側が登録することを拒否したＲＡＴに対応する情報を、アクセス禁止されたＲＡＴについての情報に対して更新することも可能である。
【００７０】
この実施形態において、ユーザ機器に対応するアクセス禁止されたＲＡＴについての情報が、ユーザ機器の加入者ＩＤモジュール（ＳＩＭ）にあらかじめ保存され、ユーザ機器がネットワーク登録を実行しようと試みる際、アクセス禁止されたＲＡＴを除くＲＡＴに対応するネットワークだけが、アクセス禁止されたＲＡＴについての情報により探索され、アクセス禁止されたＲＡＴ上でネットワーク探索及び／又はネットワーク登録は実行されず、その結果、ネットワーク登録中にユーザ機器によって実行されるシグナリング対話を低減し、ネットワーク負荷を低減し、ユーザのネットワーク登録時間を低減することもし、且つユーザ機器の消費電力を低減する。更に、ネットワーク側が登録することを拒否したＲＡＴが、アクセス禁止されたＲＡＴについての情報に対して更新され、ユーザ機器がネットワーク探索を再試行する際（ネットワーク登録に限定されず、セル再選択、セル測定などを更に含むことが可能である）、登録されるのが拒否されたＲＡＴ上でネットワーク探索は実行されず、その結果、ユーザのネットワーク探索時間を低減することもし、且つユーザ機器の消費電力を低減する。
【００７１】
当業者は、図２に示される実施形態において、アクセス禁止されたＲＡＴについての情報がユーザ機器の加入者ＩＤモジュール（ＳＩＭ）にあらかじめ記憶される例が説明のために使用されることを理解することができる。同様に、アクセスサポート可能なＲＡＴについての情報がユーザ機器の加入者ＩＤモジュール（ＳＩＭ）にあらかじめ記憶される場合、この方法がやはり、同様に実施されることが可能である。例えば、以下が含まれることが可能である。すなわち、ユーザ機器の電源がオンになり、ユーザ機器がネットワーク登録モードに入った際、ＳＩＭカードが交換されたと決定された場合、アクセスサポート可能なＲＡＴについての情報が、そのＳＩＭカードから読み取られること、又はＳＩＭカードが交換されていないと決定された場合、アクセスサポート可能なＲＡＴについての情報が取得され、次に、ネットワーク探索及びネットワーク登録が、アクセスサポート可能なＲＡＴについての取得された情報を使用することによって実行される。ユーザが手動で選択してネットワーク登録を実行することに失敗し、登録が要求されたネットワークに対応するＲＡＴがアクセスサポート可能なＲＡＴである場合、そのＲＡＴについての情報が、あらかじめ保存されたアクセスサポート可能なＲＡＴから削除される。ユーザが手動で選択してネットワーク登録を実行し、ネットワーク側のデバイスによってフィードバックされたネットワーク登録成功メッセージを受信し、アクセスサポート可能な無線技術タイプについてのあらかじめ保存された情報が、登録が要求されたネットワークに対応する無線技術タイプを含まないと決定された場合、その無線技術タイプが、アクセスサポート可能な無線技術タイプとして保存される。特定の実施中、実施は、図２に示される実施形態を参照して実行されることが可能である。
【００７２】
更に別の実施形態
図３は、本発明によるユーザ機器のデータ処理方法の更に別の実施形態の概略図である。
【００７３】
この実施形態において、アイドル状態にあるユーザ機器がセル再選択測定を実行する例が、本発明において提供される方法を説明するために使用される。
【００７４】
Ｓ３０１  ユーザ機器がアイドル（Ｉｄｌｅ）状態にあるときに、ユーザ機器がセル再選択測定をトリガする。
【００７５】
Ｓ３０２  ユーザ機器が、アクセスサポート可能な無線技術タイプについての情報、又はアクセス禁止された無線技術タイプについての情報を取得する。
【００７６】
アクセスサポート可能な無線技術タイプについての情報は、ユーザ機器の加入者ＩＤモジュールのアクセスサポート可能な無線技術タイプ、及びユーザ機器のアクセスサポート可能な無線技術タイプを含む。
【００７７】
アクセス禁止された無線アクセスタイプについての情報は、ユーザ機器の加入者ＩＤモジュールのアクセス禁止された無線技術タイプ、及びユーザ機器のアクセス禁止された無線技術タイプを含む。
【００７８】
Ｓ３０３  セル再選択測定を実行する際、ユーザ機器が、アクセス禁止されたＲＡＴに対応するネットワーク上でセル測定を実行せず、アクセス禁止されたＲＡＴを除くＲＡＴに対応するネットワーク上だけでネットワーク探索及びセル測定を実行する、又はセル再選択測定を実行する際、ユーザ機器が、アクセスサポート可能な無線技術タイプに対応するネットワーク上だけでネットワーク探索及びセル測定を実行する。特定の実施中、ユーザ機器が、セル再選択が実行された後にネットワークに登録するために失敗することを回避するために、アクセス禁止されたＲＡＴに対応するネットワーク上でセル測定は実行されない、又はセル再選択測定を実行する際、ユーザ機器は、アクセスサポート可能な無線技術タイプに対応するネットワーク上だけでネットワーク探索及びセル測定を実行して、測定によって消費されるネットワークリソース、及びユーザ機器の消費電力を低減し、且つセル再選択の後のユーザ機器の登録成功率を向上させるようにする。
【００７９】
Ｓ３０４  測定結果により、セルを再選択するかどうかを決定する。
【００８０】
特に、実施は、従来技術において提供される方法により実行されることが可能である。
【００８１】
この実施形態において、アイドル状態にあるユーザ機器がセル再選択測定を実行する場合、ユーザ機器はまず、アクセス禁止されたＲＡＴについての情報を取得し、次に、アクセス禁止されたＲＡＴについての情報により、アクセス禁止されたＲＡＴを除くＲＡＴに対応するネットワークだけを探索し、アクセス禁止されたＲＡＴ上でネットワーク探索及び／又はセル測定を実行せず、その結果、ユーザ機器がセルを測定する際に実行されるシグナリング対話を低減し、ネットワーク負荷を低減し、セル再選択の後のユーザ機器のネットワーク登録成功率を向上させることもし、且つユーザ機器の消費電力を低減する。
【００８２】
更に別の実施形態
図４は、本発明によるユーザ機器のデータ処理方法の更に別の実施形態の概略図である。
【００８３】
この実施形態において、専用接続状態にあるユーザ機器がセルを測定する例が、本発明において提供される方法を説明するために使用される。
【００８４】
Ｓ４０１  ユーザ機器が専用接続状態にあるときに、ユーザ機器が、測定制御メッセージを受信し、セル測定をトリガする。
【００８５】
ユーザ機器が専用接続状態にある場合、ユーザ機器は、呼モード又はデータサービスモード（例えば、インターネットサーフィン又はＳＭＳメッセージ）にあることが可能である。専用接続状態にあるユーザ機器によってトリガされるセル測定は、ネットワーク側によって送信された測定制御メッセージが受信された後にトリガされることが可能であり、又は別のトリガ方式でトリガされることが可能であり、これらは、本明細書において限定されない。
【００８６】
Ｓ４０２  ユーザ機器が、アクセスサポート可能な無線技術タイプについての情報、又はアクセス禁止された無線技術タイプについての情報を取得する。
【００８７】
Ｓ４０３  セル測定を実行する際、ユーザ機器が、アクセス禁止されたＲＡＴに対応するネットワーク上でセル測定を実行せず、アクセス禁止されたＲＡＴを除くＲＡＴに対応するネットワーク上だけでネットワーク探索及びセル測定を実行する、又はセル測定を実行する際、ユーザ機器が、アクセスサポート可能な無線技術タイプに対応するネットワーク上だけでネットワーク探索及びセル測定を実行する。
【００８８】
特定の実施中、ユーザ機器が、セル再選択が実行された後にネットワークに登録するために失敗することを回避するために、アクセス禁止されたＲＡＴに対応するネットワーク上でセル測定が実行されず、又はセル測定を実行する際、ユーザ機器が、アクセスサポート可能な無線技術タイプに対応するネットワーク上だけでネットワーク探索及びセル測定を実行して、測定によって消費されるネットワークリソース、及びユーザ機器の消費電力を低減し、且つセル再選択の後のユーザ機器の登録成功率を向上させるようにする。
【００８９】
Ｓ４０４  測定結果を報告する。
【００９０】
この実施形態において、専用接続状態にある（例えば、呼中の）ユーザ機器がセルを測定する場合、ユーザ機器はまず、アクセス禁止されたＲＡＴについての情報を取得し、次に、アクセス禁止されたＲＡＴについての情報により、アクセス禁止されたＲＡＴを除くＲＡＴに対応するネットワークだけを探索し、アクセス禁止されたＲＡＴ上でネットワーク探索及び／又はセル測定を実行せず、その結果、ユーザ機器がセルを測定する際に実行されるシグナリング対話を低減し、ネットワーク負荷を低減し、セル再選択の後のユーザ機器のネットワーク登録成功率を向上させることもし、且つユーザ機器の消費電力を低減する。
【００９１】
本発明の前述の実施形態のステップは、必須ではなく、例示的な説明に過ぎないことに留意されたい。代替方式、変形方式、及び組合せ方式で前述の実施形態からやはり得られることが可能な他のすべての実施形態は、本発明の保護範囲に入るものとする。本発明の前述の実施形態のステップのなかに確定的な実行シーケンスが存在することもなく、前述のステップの実行シーケンスは、並行の実行又は逆転された実行であることが可能であり、このことは、本発明において限定されない。
【００９２】
図５は、本発明によるユーザ機器の実施形態の概略図である。図５に示されるユーザ機器は、図１から図４に示される実施形態において以下の方法を実施する。
【００９３】
本発明において提供されるユーザ機器は、異なる通信ネットワークシステムに適用されることが可能であり、ユーザ機器は、マルチモードユーザ機器であり、複数の無線アクセス技術タイプに対応するネットワークをサポートすることができることに留意されたい。ユーザ機器がアクセスすることが可能なネットワークは、ＧＳＭネットワーク、ＵＭＴＳネットワーク、ＣＤＭＡ（Ｃｏｄｅ  Ｄｉｖｉｓｉｏｎ  Ｍｕｌｔｉｐｌｅ  Ａｃｃｅｓｓ，符号分割多元接続）ネットワーク、ＴＤＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ，（時分割同期符号分割多元接続））ネットワーク、ＷＣＤＭＡネットワーク、ＳＡＥ（Ｓｙｓｔｅｍ  Ａｒｃｈｉｔｅｃｔｕｒｅ  Ｅｖｏｌｖｅｄ，Ｓｙｓｔｅｍ  Ａｒｃｈｉｔｅｃｔｕｒｅ  Ｅｖｏｌｕｔｉｏｎ  Ｎｅｔｗｏｒｋ）／ＬＴＥ（Ｌｏｎｇ  Ｔｅｒｍ  Ｅｖｏｌｅｄ，Ｌｏｎｇ  Ｔｅｒｍ  Ｅｖｏｌｕｔｉｏｎ  Ｎｅｔｗｏｒｋ）ネットワークなどを含むことが可能であるが、以上には限定されない。
【００９４】
ユーザ機器は、
ユーザ機器がネットワーク探索を実行する必要があると決定された場合、取得された、アクセスサポート可能な無線技術タイプについての情報、又はアクセス禁止された無線アクセスタイプについての情報により、利用可能な無線技術タイプを決定するように構成された決定ユニット５０１と、
決定ユニットによって決定された利用可能な無線技術タイプにより、その利用可能な無線技術タイプに対応する利用可能なネットワークを探索するように構成された探索ユニット５０２であって、利用可能なネットワークは、データを処理するためにユーザ機器によって使用される探索ユニット５０２とを含む。
【００９５】
決定ユニットは、ユーザ機器がネットワークに登録すると決定された場合、ユーザ機器がネットワーク探索を実行する必要があると決定するように、又はユーザ機器がセルを測定すると決定された場合、ユーザ機器がネットワーク探索を実行する必要があると決定するように特に構成される。更に、決定ユニットは、アイドル状態にあるユーザ機器がセル再選択測定を実行すると決定された場合、ユーザ機器がネットワーク探索を実行する必要があると決定するように、又は専用接続状態にあるユーザ機器がセルを測定すると決定された場合、ユーザ機器がネットワーク探索を実行する必要があると決定するように特に構成される。
【００９６】
可能な実装方式において、決定ユニットは、ユーザ機器がネットワークに登録すると決定された場合、ユーザ機器がネットワーク探索を実行する必要があると決定するように特に構成される。ユーザ機器の電源がオンになる、又はユーザ機器がカバレッジの穴からカバレッジ区域に入ると、ユーザ機器は、ネットワーク登録を実行するようにネットワークを探索する必要があり、滞在すべき適切なセルを選択する。このプロセスは、一般に、セル選択と呼ばれる。ユーザ機器が電源オフ状態から電源オン状態に切り換えられると、又はカバレッジの穴からカバレッジ区域に入ると、ユーザ機器は、ネットワークに登録する。この事例において、ユーザ機器はネットワーク探索を実行する必要があると決定される。
【００９７】
可能な実装方式において、決定ユニットは、ユーザ機器がセルを測定すると決定された場合、ユーザ機器がネットワーク探索を実行する必要があると決定するように特に構成される。ユーザ機器がセルを測定すると決定することは、アイドル状態にあるユーザ機器がセル再選択測定を実行すると決定すること、又は専用接続状態にあるユーザ機器がセルを測定すると決定することを含むことも可能である。ユーザ機器は、一般に、２つの状態、すなわち、接続状態（Ｃｏｎｎｅｃｔｅｄ）及びアイドル状態（Ｉｄｌｅ）を有する。ユーザ機器が接続状態にある場合、ユーザ機器とネットワーク側は、互いの間でデータ伝送を実行すること、例えば、呼を行うこと、並びにインターネットをサーフィンすること、及びＳＭＳメッセージを送信することなどの他のデータサービスを実行することが可能である。ユーザ機器がアイドル状態（Ｉｄｌｅ）にある場合、ユーザ機器は、セル再選択測定を実行する。すなわち、ユーザ機器は、ユーザ機器の現在のサービングセルの信号品質、及びユーザ機器の隣接セルの信号品質を監視して、セル再選択をトリガするかどうかを決定するようにして、その結果、ユーザ機器を現在のサービングセルから再選択されたセルにハンドオーバする。アイドル状態にあるユーザ機器がセルを測定する場合、ユーザ機器はまず、ネットワーク探索も実行し、したがって、アイドル状態にあるユーザ機器がセル再選択測定を実行すると決定された場合、ユーザ機器は、ネットワーク探索を実行する必要があると決定される。ユーザ機器が専用接続状態にある場合、データサービスが正常に実行されることを確実にするために、ユーザ機器は、ネットワーク側によって配信された測定制御メッセージによりセルを測定する。しかし、専用接続状態にあるユーザ機器がセルを測定する場合、ユーザ機器はまず、ネットワーク探索も実行し、したがって、専用接続状態にあるユーザ機器がセルを測定すると決定された場合、ユーザ機器は、ネットワーク探索を実行する必要があると決定される。
【００９８】
決定ユニットによって取得されるアクセスサポート可能な無線技術タイプについての情報は、
ユーザ機器の加入者ＩＤモジュールのアクセスサポート可能な無線技術タイプ、及びユーザ機器のアクセスサポート可能な無線技術タイプを含み、
決定ユニットによって取得されるアクセスサポート可能な無線技術タイプについての情報は、
ユーザ機器の加入者ＩＤモジュールのアクセス禁止された無線技術タイプ、及びユーザ機器のアクセス禁止された無線技術タイプを含む。
【００９９】
決定ユニットは、ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得するように特に構成される。この可能な実装方式において、アクセスサポート可能な無線技術タイプについての情報、又はアクセス禁止された無線技術タイプについての情報が、ユーザ機器の加入者ＩＤモジュールにあらかじめ記憶される。加入者ＩＤモジュールは、ＳＩＭカード、ＵＳＩＭカード、又は加入者ＩＤ識別を実行するために使用される別のタイプのモジュール若しくはカードであることが可能である。アクセス禁止された無線技術タイプについての情報は、ユーザ機器のアクセス禁止された無線技術タイプを含む。例えば、ユーザ機器のアクセスサポート可能な無線技術タイプ（ＲＡＴ，Ｒａｄｉｏ  Ａｃｃｅｓｓ  Ｔｙｐｅ）が、ＬＴＥ、ＷＣＤＭＡ、ＧＳＭなどを含む。ユーザ機器のＳＩＭカードに記憶されたアクセス禁止されたタイプが、ＷＣＤＭＡである。決定ユニットによる、ユーザ機器に対応するアクセス禁止された無線技術タイプについての情報を取得することは、ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得することを含む。ユーザ機器が、加入者ＩＤモジュールから、アクセスサポート可能な無線技術タイプについての情報、又はアクセス禁止された無線技術タイプについての情報を読み取った後、アクセスサポート可能な無線技術タイプについての情報、又はアクセス禁止された無線技術タイプについての情報は、別のストレージロケーションに記憶されること、例えば、アクセス情報データベースに保存されることも可能であることに留意されたい。次に、アクセスサポート可能な無線技術タイプについての情報、又はアクセス禁止された無線技術タイプについての情報が再び取得される必要がある場合、対応する情報は、ＳＩＭカード又はＵＳＩＭカードを読み取る必要なしに、アクセス情報データベースから直接に読み取られることが可能である。
【０１００】
更に、ユーザ機器は、ネットワーク側によって送信されたアクセスサポート可能な無線技術タイプについての情報、又はアクセス禁止された無線技術タイプについての情報を受信するように構成された第１の受信ユニットを更に含み、決定ユニットは、第１の受信ユニットによって受信されたアクセスサポート可能な無線技術タイプについての情報、又はアクセス禁止された無線技術タイプについての情報を使用することによって、アクセスサポート可能な無線技術タイプについての情報、又はアクセス禁止された無線技術タイプについての情報を取得するように特に構成される。この実装方式において、ネットワーク側が、ユーザ機器に、アクセスサポート可能な無線技術タイプについての情報、又はアクセス禁止された無線技術タイプについての情報を能動的にプッシュすることが可能であり、ユーザ機器の受信ユニットが、ネットワーク側によって送信されたアクセスサポート可能な無線技術タイプについての情報、又はアクセス禁止された無線技術タイプについての情報を受信し、ユーザ機器の決定ユニットが、アクセスサポート可能な無線技術タイプについての受信された情報、又はアクセス禁止された無線技術タイプについての受信された情報を使用することによって、アクセスサポート可能な無線技術タイプについての情報、又はアクセス禁止された無線技術タイプについての情報を取得する。
【０１０１】
更に、ユーザ機器は、ネットワーク側に、アクセスサポート可能な無線技術タイプについての情報、又はアクセス禁止された無線技術タイプについての情報の要求メッセージを送信するように構成された送信ユニットと、ネットワーク側によってフィードバックされた応答メッセージを受信するように構成された第２の受信ユニットであって、応答メッセージは、アクセスサポート可能な無線技術タイプについての情報、又はアクセス禁止された無線技術タイプについての情報を含む第２の受信ユニットを更に含み、決定ユニットは、第２の受信ユニットによって受信された応答メッセージを使用することによって、アクセスサポート可能な無線技術タイプについての情報、又はアクセス禁止された無線技術タイプについての情報を取得するように特に構成される。
【０１０２】
更に、決定ユニットは、アクセスサポート可能な無線技術タイプについての情報、又はアクセス禁止された無線アクセスタイプについての情報を、以下の方式で、すなわち、
ユーザ機器が、ネットワーク側のデバイスにネットワーク登録要求を送信し、ネットワーク側のデバイスによってフィードバックされたネットワーク登録拒否メッセージを受信した場合、登録が要求されたネットワークに対応する無線アクセス技術タイプについての情報を、アクセス禁止された無線技術タイプについての情報として保存して、取得する。
【０１０３】
受信されるネットワーク登録拒否メッセージは、識別情報を伝送し、識別情報は、登録が要求されたネットワークに対応する無線アクセス技術タイプがネットワーク側のアクセス禁止された無線アクセス技術タイプであることを示すのに使用される。
【０１０４】
更に、決定ユニットは、
アクセスサポート可能な無線技術タイプについての情報、又はアクセス禁止された無線アクセスタイプについての情報を更新するように、且つ更新された、アクセスサポート可能な無線技術タイプについての情報、又はアクセス禁止された無線アクセスタイプについての情報により、利用可能な無線技術タイプを決定するように特に構成される。特定の実施中、更新された、アクセスサポート可能な無線技術タイプについての情報、又は更新された、アクセス禁止された無線アクセスタイプについての情報は、以下の方式で取得されることが可能である。すなわち、ユーザによって入力されたネットワーク登録メッセージが受信されると、ネットワーク登録メッセージによりネットワーク側のデバイスにネットワーク登録要求を送信すること、及びネットワーク側のデバイスによってフィードバックされたネットワーク登録成功メッセージが受信され、且つアクセス禁止された無線技術タイプについてのあらかじめ保存された情報が、登録が要求されたネットワークに対応する無線技術タイプを含むと決定された場合、その無線技術タイプに対応するアクセス禁止された無線技術タイプについての情報を削除すること、又はネットワーク側のデバイスによってフィードバックされたネットワーク登録成功メッセージが受信され、且つアクセスサポート可能な無線技術タイプについてのあらかじめ保存された情報が、登録が要求されたネットワークに対応する無線技術タイプを含まないと決定された場合、その無線技術タイプを、アクセスサポート可能な無線技術タイプとして保存すること。このようにして、ユーザが手動で選択してネットワークに登録されるようにした場合、アクセスサポート可能な無線技術タイプについての対応する情報、又はアクセス禁止された無線アクセスタイプについての情報が、ネットワーク側によってフィードバックされた登録成功メッセージ又は登録拒否メッセージにより更新されることが可能である。もちろん、当業者は、アクセスサポート可能な無線技術タイプについての情報、又はアクセス禁止された無線アクセスタイプについての情報を更新するための方式は、柔軟で、様々であることが可能であり、例えば、更新された、ネットワーク側によって送信されたアクセスサポート可能な無線技術タイプについての情報、又はアクセス禁止された無線アクセスタイプについての情報を受信すること、又はネットワーク側に無線技術タイプについての情報更新要求を送信し、ネットワーク側の応答メッセージにより、アクセスサポート可能な無線技術タイプについての情報、又はアクセス禁止された無線アクセスタイプについての情報を更新することを含むことが可能であることを理解することができる。別の例として、アクセスサポート可能な無線技術タイプについての情報、又はアクセス禁止された無線アクセスタイプについての情報は、ユーザの入力情報、又はネットワーク側によってフィードバックされた別のタイプのメッセージを使用することによって更新され、このことは、本発明において限定されない。
【０１０５】
更に、ユーザ機器は、
ユーザによって入力されたネットワーク登録メッセージを受信するように構成された登録情報受信ユニットと、
登録情報受信ユニットによって受信されたネットワーク登録メッセージによりネットワーク側のデバイスにネットワーク登録要求を送信するように構成された第２のネットワーク登録要求送信ユニットと、
ネットワーク側のデバイスによってフィードバックされたネットワーク登録成功メッセージが受信され、且つ登録が要求されたネットワークに対応する無線アクセス技術タイプが、あらかじめ保存されたアクセス禁止された無線アクセス技術タイプであると決定された場合、その無線アクセスタイプに対応するアクセス禁止された無線アクセス技術タイプについての情報を削除するように構成された削除ユニットと、
ネットワーク側のデバイスによってフィードバックされたネットワーク登録成功メッセージが受信され、且つアクセスサポート可能な無線技術タイプについてのあらかじめ保存された情報が、登録が要求されたネットワークに対応する無線技術タイプを含まないと決定された場合、その無線技術タイプをアクセスサポート可能な無線技術タイプとして保存する保存ユニットとを更に含む。
【０１０６】
特定の実施中、ネットワーク探索を実行する際、ユーザ機器の探索ユニットが、利用可能な無線技術タイプに対応する利用可能なネットワークを探索する。例が、説明のために使用される。ユーザ機器のアクセスサポート可能な無線技術タイプがＬＴＥ、ＷＣＤＭＡ、又はＧＳＭを含み、且つユーザ機器に対応するアクセス禁止された無線技術タイプがＬＴＥである場合、ユーザ機器がネットワーク探索を実行する際、ＷＣＤＭＡネットワーク及びＧＳＭネットワークだけが探索される。
【０１０７】
本発明のこの実施形態において、ユーザ機器がネットワーク探索を実行する必要があると決定された場合、利用可能な無線技術タイプが、取得された、アクセスサポート可能な無線技術タイプについての情報、又はアクセス禁止された無線アクセスタイプについての情報により決定され、ユーザ機器がネットワーク探索を実行する際、その利用可能な無線技術タイプに対応するネットワークが探索されて、そのネットワークを使用することによってデータを処理するようにする。本発明において、ネットワーク登録などの、ネットワーク探索が実行される必要があるデータ操作が実行される場合、利用可能な無線技術タイプに対応する利用可能なネットワークだけが探索され、ユーザ機器のアクセス禁止された無線技術タイプに対応するネットワークは探索されず、したがって、不必要なネットワークシグナリング負荷が低減され、ユーザ機器のネットワーク探索時間が低減され、ユーザ機器の消費電力が低減される。
【０１０８】
別の実施形態
図６は、本発明によるユーザ機器の別の実施形態の概略図である。図２に示されるユーザ機器は、図１から図４に示される実施形態において以下の方法を実施する。
【０１０９】
図６は、本発明の別の実施形態において提供されるユーザ機器の構造を示し、そのユーザ機器は、少なくとも１つのメモリ６１（例えば、ＣＰＵ）と、プロセッサ６０２と、これらの装置の間で接続及び通信を実施するように構成された少なくとも１つの通信バス６０３とを含む。プロセッサ６０２は、メモリ６０１に記憶された実行可能モジュール、例えば、コンピュータプログラムを実行するように構成される。メモリ６０１は、高速ランダムアクセスメモリ（ＲＡＭ：Ｒａｎｄｏｍ  Ａｃｃｅｓｓ  Ｍｅｍｏｒｙ）を含むことが可能であり、少なくとも１つの磁気ディスクメモリなどの不揮発性メモリ（ｎｏｎ−ｖｏｌａｔｉｌｅ  ｍｅｍｏｒｙ）を更に含むことが可能である。
【０１１０】
いくつかの実装方式において、メモリ６０１は、アクセスサポート可能な無線技術タイプについての情報、又はアクセス禁止された無線技術タイプについての情報を記憶するように構成される。
【０１１１】
プロセッサ６０２は、ユーザ機器がネットワーク探索を実行する必要があると決定された場合、メモリ６０１から、アクセスサポート可能な無線技術タイプについての情報、又はアクセス禁止された無線技術タイプについての情報を取得するように、且つ取得された、アクセスサポート可能な無線技術タイプについての情報、又はアクセス禁止された無線技術タイプについての情報により、利用可能な無線技術タイプに対応する利用可能なネットワークを探索するように構成され、利用可能なネットワークは、データを処理するためにユーザ機器によって使用される。
【０１１２】
メモリ６０１に記憶されたアクセスサポート可能な無線技術タイプについての情報は、ユーザ機器の加入者ＩＤモジュールのアクセスサポート可能な無線技術タイプ、及びユーザ機器のアクセスサポート可能な無線技術タイプを含み、アクセス禁止された無線アクセスタイプについての情報は、ユーザ機器の加入者ＩＤモジュールのアクセス禁止された無線技術タイプ、及びユーザ機器のアクセス禁止された無線技術タイプを含む。
【０１１３】
プロセッサ６０２は、ユーザ機器がネットワークに登録すると決定された場合、ユーザ機器がネットワーク探索を実行する必要があると決定するように、又はユーザ機器がセルを測定すると決定された場合、ユーザ機器がネットワーク探索を実行する必要があると決定するように更に構成される。
【０１１４】
プロセッサ６０２は、アイドル状態にあるユーザ機器がセル再選択測定を実行すると決定された場合、ユーザ機器がネットワーク探索を実行する必要があると決定するように、又は専用接続状態にあるユーザ機器がセルを測定すると決定された場合、ユーザ機器がネットワーク探索を実行する必要があると決定するように更に構成される。
【０１１５】
プロセッサ６０２は、ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得するように更に構成される。
【０１１６】
ユーザ機器は、ネットワーク側によって送信されたアクセスサポート可能な無線技術タイプについての情報、又はアクセス禁止された無線技術タイプについての情報を受信するように構成された受信機６０４を更に含み、
プロセッサ６０２は、受信機６０４によって受信されたアクセスサポート可能な無線技術タイプについての情報、又はアクセス禁止された無線技術タイプについての情報を使用することによって、アクセスサポート可能な無線技術タイプについての情報、又はアクセス禁止された無線技術タイプについての情報を取得するように更に構成される。
【０１１７】
ユーザ機器は、ネットワーク側に、アクセスサポート可能な無線技術タイプについての情報、又はアクセス禁止された無線技術タイプについての情報の要求メッセージを送信するように構成された送信機６０５を更に含み、
受信機６０４は、ネットワーク側によってフィードバックされた応答メッセージを受信するように更に構成され、応答メッセージは、アクセスサポート可能な無線技術タイプについての情報、又はアクセス禁止された無線技術タイプについての情報を含み、
プロセッサ６０２は、受信された応答メッセージを使用することによって、アクセスサポート可能な無線技術タイプについての情報、又はアクセス禁止された無線技術タイプについての情報を取得するように更に構成される。
【０１１８】
送信機６０５は、利用可能なネットワークが探索を用いて見出された後、ネットワーク側のデバイスにネットワーク登録要求を送信するように更に構成され、
受信機６０４は、ネットワーク側のデバイスによってフィードバックされたネットワーク登録拒否メッセージを受信するように更に構成され、ネットワーク登録拒否メッセージは、拒否理由値を伝送し、拒否理由値は、登録が要求されたネットワークに対応する無線アクセス技術タイプがネットワーク側のアクセス禁止された無線アクセス技術タイプであることを示すのに使用される。
【０１１９】
プロセッサ６０２は、受信機６０４が、ネットワーク側のデバイスによってフィードバックされたネットワーク登録拒否メッセージを受信した後、登録が要求されたネットワークに対応する無線アクセス技術タイプについての情報を、アクセス禁止された無線技術タイプについての情報として保存するように更に構成される。
【０１２０】
プロセッサ６０２は、アクセスサポート可能な無線技術タイプについての情報、又はアクセス禁止された無線アクセスタイプについての情報を更新するように、且つ更新された、アクセスサポート可能な無線技術タイプについての情報、又はアクセス禁止された無線アクセスタイプについての情報により、利用可能な無線技術タイプを決定するように更に構成される。
【０１２１】
受信機６０４は、ユーザによって入力されたネットワーク登録メッセージを受信するように更に構成され、
送信機６０５は、受信機６０４によって受信されたネットワーク登録メッセージによりネットワーク側のデバイスにネットワーク登録要求を送信するように更に構成され、
受信機６０４は、ネットワーク側のデバイスによってフィードバックされたネットワーク登録成功メッセージを受信するように更に構成され、
プロセッサは、受信機６０４が、ネットワーク側のデバイスによってフィードバックされたネットワーク登録成功メッセージを受信し、且つ登録が要求されたネットワークに対応する無線アクセス技術タイプが、あらかじめ保存されたアクセス禁止された無線アクセス技術タイプであると決定された場合、その無線アクセスタイプに対応するアクセス禁止された無線アクセス技術タイプについての情報を削除するように、又は受信機６０４が、ネットワーク側のデバイスによってフィードバックされたネットワーク登録成功メッセージを受信し、且つアクセスサポート可能な無線技術タイプについてのあらかじめ保存された情報が、登録が要求されたネットワークに対応する無線技術タイプを含まないと決定された場合、その無線技術タイプをアクセスサポート可能な無線技術タイプとして保存するように更に構成される。
【０１２２】
当業者は、実施形態による方法の手続きが、妥当なハードウェアに命令するプログラムによって実施され得ることを理解するはずである。そのプログラムは、可読記憶媒体に記憶されることが可能である。そのプログラムが実行されると、本発明の実施形態による方法の対応するステップが実行される。記憶媒体は、ＲＯＭ／ＲＡＭ、磁気ディスク、光ディスクなどであることが可能である。
【０１２３】
以上の説明は、本発明の例示的な実装方式に過ぎない。当業者は、本発明の原理を逸脱することなく、いくつかの改良又は洗練を行うことが可能であり、それらの改良又は洗練は、本発明の保護範囲に入るものとされることに留意されたい。
【図１】
2017517927.tif 000004
【図２】
2017517927.tif 000005
【図３】
2017517927.tif 000006
【図４】
2017517927.tif 000007
【図５】
2017517927.tif 000008
【図６】
2017517927.tif 000009
【手続補正書】
【提出日】平成28年10月13日(2016.10.13)
【手続補正１】
【補正対象書類名】明細書
【補正対象項目名】全文
【補正方法】変更
【補正の内容】
【発明の詳細な説明】
【技術分野】
【０００１】
本発明の実施形態は、通信分野に関し、詳細には、ユーザ機器のデータ処理方法、及びデバイスに関する。
【背景技術】
【０００２】
現在、モバイル通信技術の分野において、第２世代モバイル通信技術（２Ｇ）及び第３世代モバイル通信技術（３Ｇ）が、第４世代モバイル通信技術（４Ｇ）と共存する。通信事業者は、様々な異なる標準のネットワークを同時に運用し、様々なネットワーク標準をサポートすることができるマルチモードユーザ機器も出現する。例えば、マルチモードユーザ機器は、ユーザが、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ、グローバルシステムフォーモバイルコミュニケーションズ）ネットワーク、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ユニバーサルモバイルテレコミュニケーションズシステム）ネットワーク、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、広帯域符号分割多元接続）ネットワーク、ＬＴＥ（Ｌｏｎｇ  Ｔｅｒｍ  Ｅｖｏｌｕｔｉｏｎ、ロングタームエボリューション）ネットワークなどにアクセスするのを可能にすることができる。
【０００３】
異なるネットワーク標準をサポートすることができるマルチモードユーザ機器がネットワークに登録すると、そのユーザ機器は、そのユーザ機器によってサポートされるネットワーク標準に準拠して、それらのネットワーク標準の優先順位によりネットワークに登録されるように別々に試みる。ユーザ機器が現在、アクセスしようと試みるネットワークがＬＴＥネットワークであるが、ユーザ機器がそのネットワークにアクセスする許可を有さない場合、そのネットワークは、登録拒否メッセージをフィードバックする。ネットワーク側によって送信された登録拒否メッセージを受信すると、ユーザ機器は、別の標準のネットワークにアクセスしようと試みる。
【０００４】
しかし、そのネットワークに登録する際、ユーザ機器は、大量のシグナリング対話をトリガする複数の試行を行う必要があり、このことは、ネットワーク負荷を増大させ、ネットワーク登録時間を長引かせて、ユーザ機器の消費電力の増加をもたらす。
【発明の概要】
【０００５】
以上のことに鑑みて、本発明の実施形態は、ネットワーク負荷が増大させられ、ユーザ機器の消費電力が増加させられる問題を解決するように、ユーザ機器のデータ処理方法、及びデバイスを提供する。
【０００６】
したがって、以下の技術的ソリューションが、本発明の実施形態において使用される。
【０００７】
本発明の実施形態の第１の態様によれば、ユーザ機器が開示され、この機器は、
ユーザ機器がネットワーク探索を実行する必要があると決定された場合、取得された、アクセスサポート可能な無線技術タイプについての情報、又はアクセス禁止された無線アクセスタイプについての情報により、利用可能な無線技術タイプを決定するように構成された決定ユニットと、
決定ユニットによって決定された利用可能な無線技術タイプにより、その利用可能な無線技術タイプに対応する利用可能なネットワークを探索するように構成された探索ユニットであって、利用可能なネットワークは、データを処理するためにユーザ機器によって使用される探索ユニットとを含む。
【０００８】
第１の態様の第１の可能な実装方式において、決定ユニットは、
ユーザ機器がネットワークに登録すると決定された場合、ユーザ機器がネットワーク探索を実行する必要があると決定するように、又は
ユーザ機器がセルを測定すると決定された場合、ユーザ機器がネットワーク探索を実行する必要があると決定するように特に構成される。
【０００９】
第１の態様の第２の可能な実装方式において、決定ユニットによって取得されるアクセスサポート可能な無線技術タイプについての情報は、
ユーザ機器の加入者ＩＤモジュールのアクセスサポート可能な無線技術タイプ、及びユーザ機器のアクセスサポート可能な無線技術タイプを含み、
決定ユニットによって取得されるアクセスサポート可能な無線技術タイプについての情報は、
ユーザ機器の加入者ＩＤモジュールのアクセス禁止された無線技術タイプ、及びユーザ機器のアクセス禁止された無線技術タイプを含む。
【００１０】
第１の態様の第３の可能な実装方式において、決定ユニットは、
ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得するように特に構成される。
【００１１】
第１の態様の第４の可能な実装方式において、ユーザ機器は、
ネットワーク側によって送信されたアクセスサポート可能な無線技術タイプについての情報、又はアクセス禁止された無線技術タイプについての情報を受信するように構成された第１の受信ユニットを更に含み、
決定ユニットは、
第１の受信ユニットによって受信されたアクセスサポート可能な無線技術タイプについての情報、又はアクセス禁止された無線技術タイプについての情報を使用することによって、アクセスサポート可能な無線技術タイプについての情報、又はアクセス禁止された無線技術タイプについての情報を取得するように特に構成される。
【００１２】
第１の態様の第５の可能な実装方式において、ユーザ機器は、
ネットワーク側に、アクセスサポート可能な無線技術タイプについての情報、又はアクセス禁止された無線技術タイプについての情報の要求メッセージを送信するように構成された送信ユニットと、
ネットワーク側によってフィードバックされた応答メッセージを受信するように構成された第２の受信ユニットであって、応答メッセージは、アクセスサポート可能な無線技術タイプについての情報、又はアクセス禁止された無線技術タイプについての情報を含む第２の受信ユニットを更に含み、
決定ユニットは、
第２の受信ユニットによって受信された応答メッセージを使用することによって、アクセスサポート可能な無線技術タイプについての情報、又はアクセス禁止された無線技術タイプについての情報を取得するように特に構成される。
【００１３】
第１の態様の第６の可能な実装方式において、決定ユニットは、アクセスサポート可能な無線技術タイプについての情報、又はアクセス禁止された無線アクセスタイプについての情報を、以下の方式で、すなわち、
ユーザ機器が、ネットワーク側のデバイスにネットワーク登録要求を送信し、ネットワーク側のデバイスによってフィードバックされたネットワーク登録拒否メッセージを受信した場合、登録が要求されたネットワークに対応する無線アクセス技術タイプについての情報を、アクセス禁止された無線技術タイプについての情報として保存して、取得する。
【００１４】
第１の態様の第６の可能な実装方式を参照して、第７の可能な実装方式において、ネットワーク登録拒否メッセージは、識別情報を伝送し、識別情報は、登録が要求されたネットワークに対応する無線アクセス技術タイプがネットワーク側のアクセス禁止された無線アクセス技術タイプであることを示すのに使用される。
【００１５】
第１の態様の第８の可能な実装方式において、決定ユニットは、
アクセスサポート可能な無線技術タイプについての情報、又はアクセス禁止された無線アクセスタイプについての情報を更新するように、且つ更新された、アクセスサポート可能な無線技術タイプについての情報、又はアクセス禁止された無線アクセスタイプについての情報により、利用可能な無線技術タイプを決定するように特に構成される。
【００１６】
本発明の実施形態の第２の態様によれば、ユーザ機器のデータ処理方法が開示され、この方法は、
ユーザ機器がネットワーク探索を実行する必要があると決定された場合、取得された、アクセスサポート可能な無線技術タイプについての情報、又はアクセス禁止された無線アクセスタイプについての情報により、利用可能な無線技術タイプを決定すること、及び
決定された利用可能な無線技術タイプにより、その利用可能な無線技術タイプに対応する利用可能なネットワークを探索することであって、利用可能なネットワークは、データを処理するためにユーザ機器によって使用される、探索することを含む。
【００１７】
第２の態様の第１の可能な実装方式において、ユーザ機器がネットワーク探索を実行する必要があると決定することは、
ユーザ機器がネットワークに登録すると決定された場合、ユーザ機器がネットワーク探索を実行する必要があると決定すること、又は
ユーザ機器がセルを測定すると決定された場合、ユーザ機器がネットワーク探索を実行する必要があると決定することを含む。
【００１８】
第２の態様の第２の可能な実装方式において、アクセスサポート可能な無線技術タイプについての取得された情報は、
ユーザ機器の加入者ＩＤモジュールのアクセスサポート可能な無線技術タイプ、及びユーザ機器のアクセスサポート可能な無線技術タイプを含み、
アクセス禁止された無線アクセスタイプについての取得された情報は、
ユーザ機器の加入者ＩＤモジュールのアクセス禁止された無線技術タイプ、及びユーザ機器のアクセス禁止された無線技術タイプを含む。
【００１９】
第２の態様の第３の可能な実装方式において、アクセスサポート可能な無線技術タイプについての情報、又はアクセス禁止された無線技術タイプについての情報を取得することは、
ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得することを含む。
【００２０】
第２の態様の第４の可能な実装方式において、この方法は、
ネットワーク側によって送信されたアクセスサポート可能な無線技術タイプについての情報、又はアクセス禁止された無線技術タイプについての情報を受信することを更に含み、
アクセスサポート可能な無線技術タイプについての情報、又はアクセス禁止された無線技術タイプについての情報を取得することは、
アクセスサポート可能な無線技術タイプについての受信された情報、又はアクセス禁止された無線技術タイプについての受信された情報を使用することによって、アクセスサポート可能な無線技術タイプについての情報、又はアクセス禁止された無線技術タイプについての情報を取得することを含む。
【００２１】
第２の態様の第５の可能な実装方式において、この方法は、
ネットワーク側に、アクセスサポート可能な無線技術タイプについての情報、又はアクセス禁止された無線技術タイプについての情報の要求メッセージを送信すること、及び
ネットワーク側によってフィードバックされた応答メッセージを受信することであって、応答メッセージは、アクセスサポート可能な無線技術タイプについての情報、又はアクセス禁止された無線技術タイプについての情報を含む、受信することを更に含み、
アクセスサポート可能な無線技術タイプについての情報、及び／又はアクセス禁止された無線技術タイプについての情報を取得することは、
受信された応答メッセージを使用することによって、アクセスサポート可能な無線技術タイプについての情報、又はアクセス禁止された無線技術タイプについての情報を取得することを含む。
【００２２】
第２の態様の第６の可能な実装方式において、アクセスサポート可能な無線技術タイプについての情報、又はアクセス禁止された無線アクセスタイプについての情報は、以下の方式で、すなわち、ユーザ機器が、ネットワーク側のデバイスにネットワーク登録要求を送信し、ネットワーク側のデバイスによってフィードバックされたネットワーク登録拒否メッセージを受信した場合、登録が要求されたネットワークに対応する無線アクセス技術タイプについての情報を、アクセス禁止された無線技術タイプについての情報として保存して、取得される。
【００２３】
第２の態様の第６の可能な実装方式を参照して、第７の可能な実装方式において、ネットワーク登録拒否メッセージは、識別情報を伝送し、識別情報は、登録が要求されたネットワークに対応する無線アクセス技術タイプがネットワーク側のアクセス禁止された無線アクセス技術タイプであることを示すのに使用される。
【００２４】
第２の態様の第８の可能な実装方式において、取得された、アクセスサポート可能な無線技術タイプについての情報、又はアクセス禁止された無線アクセスタイプについての情報により、利用可能な無線技術タイプを決定することは、
アクセスサポート可能な無線技術タイプについての情報、又はアクセス禁止された無線アクセスタイプについての情報を更新すること、及び更新された、アクセスサポート可能な無線技術タイプについての情報、又はアクセス禁止された無線アクセスタイプについての情報により、利用可能な無線技術タイプを決定することを含む。
【００２５】
本発明の実施形態において、ユーザ機器がネットワーク探索を実行する必要があると判定された場合、利用可能な無線技術タイプが、取得された、アクセスサポート可能な無線技術タイプについての情報、又はアクセス禁止された無線アクセスタイプについての情報により決定され、ユーザ機器がネットワーク探索を実行する際、その利用可能な無線技術タイプに対応するネットワークが探索されて、そのネットワークを使用することによってデータを処理するようにする。本発明において、ネットワーク登録などの、ネットワーク探索が実行される必要があるデータ操作が実行される場合、利用可能な無線技術タイプに対応する利用可能なネットワークだけが探索され、ユーザ機器のアクセス禁止された無線技術タイプに対応するネットワークは探索されず、したがって、不必要なネットワークシグナリング負荷が低減され、ユーザ機器のネットワーク探索時間が低減され、ユーザ機器の消費電力が低減される。
【００２６】
本発明の実施形態における、又は従来技術における技術的ソリューションをより明確に説明するために、以下が、それらの実施形態又は従来技術を説明するために要求される添付の図面について簡潔に説明する。明らかに、以下の説明における添付の図面は、本発明のいくつかの実施形態を示すに過ぎず、当業者は、それでも、創作的な努力なしに、これらの添付の図面から他の図面を導き出すことが可能である。
【図面の簡単な説明】
【００２７】
【図１】本発明によるユーザ機器のデータ処理方法の実施形態を示す概略図である。
【図２】本発明によるユーザ機器のデータ処理方法の別の実施形態を示す概略図である。
【図３】本発明によるユーザ機器のデータ処理方法の更に別の実施形態を示す概略図である。
【図４】本発明によるユーザ機器のデータ処理方法の更に別の実施形態を示す概略図である。
【図５】本発明によるユーザ機器の実施形態を示す概略図である。
【図６】本発明によるユーザ機器の別の実施形態を示す概略図である。
【発明を実施するための形態】
【００２８】
現在、モバイル通信技術の分野において、第２世代モバイル通信技術（２Ｇ）及び第３世代モバイル通信技術（３Ｇ）が、第４世代モバイル通信技術（４Ｇ）と共存する。通信事業者は、様々な異なる標準のネットワークを同時に運用し、様々なネットワーク標準をサポートすることができるマルチモードユーザ機器も出現する。例えば、マルチモードユーザ機器は、ユーザが、ＧＳＭネットワーク、ＵＭＴＳネットワーク、ＷＣＤＭＡネットワーク、ＬＴＥネットワークなどにアクセスするのを可能にすることができる。異なるネットワーク標準をサポートすることができるマルチモードユーザ機器がネットワークに登録すると、そのユーザ機器は、そのユーザ機器によってサポートされるネットワーク標準に準拠して、それらのネットワーク標準の優先順位によりネットワークに登録されるように別々に試みる。例えば、ユーザ機器が、ユーザがＧＳＭネットワーク、ＷＣＤＭＡネットワーク、及びＬＴＥネットワークにアクセスするのを可能にすることができる場合、ユーザによって使用されるＵＳＩＭカードは、ＷＣＤＭＡネットワーク及びＧＳＭネットワークだけにしか登録され得ない。しかし、マルチモードユーザ機器の電源がオンになると、無線アクセスタイプ（Ｒａｄｉｏ  Ａｃｃｅｓｓ  Ｔｙｐｅ，ＲＡＴ）の優先レベルがそのマルチモードユーザ機器において設定されていない場合、その機器は、ＬＴＥネットワークをまず探索し、ＬＴＥネットワークに登録されるように試みる。ネットワーク側によって戻されたネットワーク登録拒否メッセージを受信する場合、ユーザ機器は、ＷＣＤＭＡネットワークを探索し、ＷＣＤＭＡネットワークに登録されるように試みる。ＷＣＤＭＡネットワークにアクセスした後、ユーザは、現在のロケーション区域においてＬＴＥネットワークを探索して、ＬＴＥネットワークに登録されるように再び試みることはしないが、それでも、区域をまたぐ際、ＬＴＥネットワークを探索して、ＬＴＥネットワークに登録されるように試みて、このことは、大量のシグナリングリソースを浪費し、ネットワーク負荷を増大させ、ネットワーク登録時間を長引かせて、ユーザ機器の消費電力の増加をもたらす。更に、ネットワークに登録されることが拒否された後、ユーザ機器は、別の標準のネットワークに登録されるように試みる。この事例において、別の標準のデータサービスが使用されることも不可能であり、このことは、ユーザ機器のデータ伝送に深刻に影響する。
【００２９】
更に、アイドル状態でセル再選択測定を実行する際、ユーザ機器は、優先レベルにおけるＲＡＴに対応するネットワークにおけるセルも測定し、例えば、機器は、ＬＴＥネットワークにおけるセルを測定するが、セルハンドオーバ中にＬＴＥネットワークにおけるセルにハンドオーバされることは不可能である。したがって、ユーザ機器によって不必要なセル測定が実行されることがもたらされ、ユーザ機器の消費電力が増加させられ、ネットワークリソースが浪費される。
【００３０】
ネットワーク負荷が増大させられ、ユーザ機器の消費電力が増加させられるという従来技術に存在する技術的問題を解決するために、本発明は、ネットワーク負荷を低減し、ユーザ機器の消費電力を低減するように、ユーザ機器のデータ処理方法、及びデバイスを提供する。
【００３１】
本発明における技術的ソリューションを当業者によりよく理解させるのに、以下が、本発明の実施形態における添付の図面を参照して、本発明の実施形態における技術的ソリューションについて明確に、完全に説明する。明らかに、説明される実施形態は、本発明の実施形態のすべてではなく、いくつかに過ぎない。創作的な努力なしに本発明の実施形態に基づいて当業者によって得られる他のすべての実施形態は、本発明の保護範囲に入るものとする。
【００３２】
実施形態
図１は、本発明によるユーザ機器のデータ処理方法の実施形態の概略図である。
【００３３】
図１に示される方法は、ユーザ機器に適用され、ユーザ機器は、異なる通信ネットワークシステムに適用されることが可能である。ユーザ機器は、様々な無線アクセス技術タイプ（ＲＡＴ，Ｒａｄｉｏ  Ａｃｃｅｓｓ  Ｔｙｐｅ）に対応するネットワークをサポートすることができるマルチモードユーザ機器である。ユーザ機器がアクセスすることが可能なネットワークは、ＧＳＭネットワーク、ＵＭＴＳネットワーク、ＣＤＭＡネットワーク、ＴＤＣＤＭＡネットワーク、ＷＣＤＭＡネットワーク、ＳＡＥ／ＬＴＥネットワークなどを含むが、以上には限定されない。
【００３４】
Ｓ１０１  ユーザ機器がネットワーク探索を実行する必要があると決定された場合、取得された、アクセスサポート可能な無線技術タイプについての情報、又はアクセス禁止された無線アクセスタイプについての情報により、利用可能な無線技術タイプを決定する。
【００３５】
可能な実装方式において、ユーザ機器がネットワーク探索を実行する必要があると決定することは、ユーザ機器がネットワークに登録すると決定された場合、ユーザ機器がネットワーク探索を実行する必要があると決定することを含む。ユーザ機器の電源がオンになる、又はユーザ機器がカバレッジの穴からカバレッジ区域に入ると、ユーザ機器は、ネットワーク登録を実行するようにネットワークを探索する必要があり、滞在すべき適切なセルを選択する。このプロセスは、一般に、セル選択と呼ばれる。ユーザ機器が電源オフ状態から電源オン状態に切り換えられると、又はカバレッジの穴からカバレッジ区域に入ると、ユーザ機器は、ネットワークに登録する。この事例において、ユーザ機器はネットワーク探索を実行する必要があると決定される。
【００３６】
可能な実装方式において、ユーザ機器がネットワーク探索を実行する必要があると決定することは、ユーザ機器がセルを測定すると決定された場合、ユーザ機器がネットワーク探索を実行する必要があると決定することを含む。ユーザ機器がセルを測定すると決定することは、アイドル状態にあるユーザ機器がセル再選択測定を実行すると決定すること、又は専用接続状態にあるユーザ機器がセルを測定すると決定することを含むことも可能である。ユーザ機器は、一般に、２つの状態、すなわち、接続状態（Ｃｏｎｎｅｃｔｅｄ）及びアイドル状態（Ｉｄｌｅ）を有する。ユーザ機器が専用接続状態にある場合、ユーザ機器とネットワーク側は、互いの間でデータ伝送を実行すること、例えば、呼を行うこと、並びにインターネットをサーフィンすること、又はＳＭＳメッセージを送信することなどの別のデータサービスを実行することが可能である。ユーザ機器がアイドル状態（Ｉｄｌｅ）にある場合、ユーザ機器は、セル再選択測定を実行する。すなわち、ユーザ機器は、ユーザ機器の現在のサービングセルの信号品質、及びユーザ機器の隣接セルの信号品質を監視して、セル再選択をトリガするかどうかを決定するようにして、その結果、ユーザ機器を現在のサービングセルから再選択されたセルにハンドオーバする。アイドル状態にあるユーザ機器がセルを測定する場合、ユーザ機器はまず、ネットワーク探索も実行し、したがって、アイドル状態にあるユーザ機器がセル再選択測定を実行すると決定された場合、ユーザ機器は、ネットワーク探索を実行する必要があると決定される。ユーザ機器が専用接続状態にある場合、データサービスが正常に実行されることを確実にするために、ユーザ機器は、ネットワーク側によって配信された測定制御メッセージによりセルを測定する。しかし、専用接続状態にあるユーザ機器がセルを測定する場合、ユーザ機器はまず、ネットワーク探索も実行し、したがって、専用接続状態にあるユーザ機器がセルを測定すると決定された場合、ユーザ機器は、ネットワーク探索を実行する必要があると決定される。
【００３７】
ユーザ機器がネットワーク探索を実行する必要があるいくつかの典型的な適用状況が前段で説明されることに留意されたい。当業者は、ユーザ機器がネットワーク探索を実行する必要がある他のシナリオ又は実装方式が本発明の方法に適用されることも可能であり、それらのシナリオ又は実装方式は、本明細書において限定されないことを理解することができる。創作的な努力なしに当業者によって得られる他の実装方式は、本発明の保護範囲にすべて含まれるものとする。
【００３８】
ユーザ機器がネットワーク探索を実行する必要があると決定された場合、アクセスサポート可能な無線技術タイプについての情報、又はアクセス禁止された無線技術タイプについての情報が取得される。アクセスサポート可能な無線技術タイプについての情報は、ユーザ機器の加入者ＩＤモジュールのアクセスサポート可能な無線技術タイプ、及びユーザ機器のアクセスサポート可能な無線技術タイプを含む。アクセス禁止された無線アクセスタイプについての情報は、ユーザ機器の加入者ＩＤモジュールのアクセス禁止された無線技術タイプ、及びユーザ機器のアクセス禁止された無線技術タイプを含む。ユーザ機器の加入者ＩＤモジュールのアクセスサポート可能な無線技術タイプは、例えば、ユーザ機器のＳＩＭカード及びＵＳＩＭカード（本明細書において限定されない）のアクセスサポート可能な無線技術タイプについての情報を含むことが可能であることに留意されたい。可能な実装方式において、ユーザ機器の加入者ＩＤモジュールのアクセスサポート可能な無線技術タイプは更に、ユーザ機器がネットワーク側からサブスクライブするネットワークに対応する無線技術タイプであることが可能である。ユーザ機器のアクセスサポート可能な無線技術タイプは、ユーザ機器によってサポートされる無線技術タイプであることが可能である。例が、説明のために使用される。ユーザ機器のアクセスサポート可能な無線技術タイプがＧＳＭ、ＷＣＤＭＡ、及びＬＴＥであることが可能であり、ユーザ機器の加入者ＩＤモジュールのアクセスサポート可能な無線技術タイプがＷＣＤＭＡ及びＧＳＭである場合、ユーザ機器のアクセスサポート可能な無線技術タイプ、及びユーザ機器の加入者ＩＤモジュールのアクセスサポート可能な無線技術タイプにより、アクセスサポート可能な無線技術タイプは、ＷＣＤＭＡ及びＧＳＭであると決定される。別の例として、ユーザ機器のアクセスサポート可能な無線技術タイプがＧＳＭであることが可能であり、ユーザ機器の加入者ＩＤモジュールのアクセスサポート可能な無線技術タイプがＷＣＤＭＡである場合、アクセスサポート可能な無線技術タイプは、ＧＳＭであると決定される。同様に、ユーザ機器の加入者ＩＤモジュールのアクセス禁止された無線技術タイプは、例えば、ユーザ機器のＳＩＭカード及びＵＳＩＭカード（本明細書において限定されない）のアクセス禁止された無線技術タイプについての情報を含むことが可能である。ユーザ機器のアクセス禁止された無線技術タイプは、ユーザ機器のアクセスサポートされない無線技術タイプであることが可能であり、例えば、次のこと、すなわち、ユーザ機器が、３Ｇをサポートすることができ、ユーザ機器のアクセス禁止された無線技術タイプがＬＴＥであり、ユーザ機器の加入者ＩＤモジュールが、例えば、２ＧをサポートするＳＩＭカードであり、したがって、ユーザ機器の加入者ＩＤモジュールのアクセス禁止された無線技術タイプがＷＣＤＭＡ、ＴＤＣＤＭＡ、又はＬＴＥであることを含むことが可能である。この事例において、決定されたアクセス禁止された無線技術タイプは、ＷＣＤＭＡ、ＴＤＣＤＭＡ、又はＬＴＥであることが可能である。以上のことは、例示的な説明に過ぎず、本発明の限定とは見なされない。
【００３９】
可能な実装方式において、アクセスサポート可能な無線技術タイプについての情報、又はアクセス禁止された無線技術タイプについての情報が、ユーザ機器の加入者ＩＤモジュールにあらかじめ記憶される。加入者ＩＤモジュールは、ＳＩＭカード、ＵＳＩＭカード、又は加入者ＩＤ識別を実行するために使用される別のタイプのモジュール若しくはカードであることが可能である。アクセスサポート可能な無線技術タイプについての情報、又はアクセス禁止された無線技術タイプについての情報を取得することは、ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得することを含む。アクセス禁止された無線技術タイプについての情報は、ユーザ機器のアクセス禁止された無線技術タイプを含む。例えば、ユーザ機器のアクセスサポート可能な無線技術タイプ（ＲＡＴ，Ｒａｄｉｏ  Ａｃｃｅｓｓ  Ｔｅｃｈｎｏｌｏｇｙ）が、ＬＴＥ、ＷＣＤＭＡ、ＧＳＭなどを含む。ユーザ機器のＳＩＭカードに記憶されたアクセス禁止されたタイプが、ＷＣＤＭＡである。ユーザ機器が、加入者ＩＤモジュールから、アクセスサポート可能な無線技術タイプについての情報、又はアクセス禁止された無線技術タイプについての情報を読み取った後、アクセスサポート可能な無線技術タイプについての情報、又はアクセス禁止された無線技術タイプについての情報は、別のストレージロケーションに記憶されること、例えば、アクセス情報データベースに保存されることも可能であることに留意されたい。次に、アクセスサポート可能な無線技術タイプについての情報、又はアクセス禁止された無線技術タイプについての情報が再び取得される必要がある場合、対応する情報は、ＳＩＭカード又はＵＳＩＭカードを読み取る必要なしに、アクセス情報データベースから直接に読み取られることが可能である。
【００４０】
別の可能な実装方式において、ネットワーク側が、ユーザ機器に、アクセスサポート可能な無線技術タイプについての情報、又はアクセス禁止された無線技術タイプについての情報を能動的にプッシュすることが可能であり、ユーザ機器が、ネットワーク側によって送信されたアクセスサポート可能な無線技術タイプについての情報、又はアクセス禁止された無線技術タイプについての情報を受信し、アクセスサポート可能な無線技術タイプについての受信された情報、又はアクセス禁止された無線技術タイプについての受信された情報を使用することによって、ユーザ機器に対応するアクセス禁止された無線技術タイプについての情報を取得する。例えば、可能な実装方式において、ユーザ機器ＵＥが、ネットワークに登録する、又はネットワーク側に対してリンクを確立する場合、ＵＥは、無線技術タイプについての情報をネットワーク側に報告することが可能であり、無線技術タイプについての情報は、ユーザ機器の加入者ＩＤモジュールのアクセスサポート可能な無線技術タイプ、及び／又はユーザ機器のアクセスサポート可能な無線技術タイプを含むことが可能である。すなわち、ネットワーク側に報告する際、ＵＥは、ＵＥによってサポートされる能力、及びＳＩＭによってサポートされる能力に基づいて、ＵＥがアクセスすることが可能な無線技術タイプを決定し、次に、その無線技術タイプをネットワーク側に報告することが可能である。更に、ネットワーク側は、ＵＥに対応するサブスクリプション情報を更に保存して、ＵＥによってサポートされ得る無線技術タイプ、又はアクセス禁止された無線技術タイプを決定するようにすることが可能である（例えば、この決定することは、サブスクリプション情報を使用することによって実行される）。ネットワーク側は、ＵＥに対応する無線技術タイプについての情報を保存することが可能であり、ネットワーク側は更に、その情報をＵＥに能動的にプッシュすることが可能である。代替として、ＵＥの要求が受信された場合、その情報がネットワーク側に送信される。
【００４１】
別の可能な実装方式において、ユーザ機器が、ネットワーク側から、アクセスサポート可能な無線技術タイプについての情報、又はアクセス禁止された無線技術タイプについての情報を要求することも可能である。特定の実施中、ユーザ機器が、ネットワーク側に、アクセスサポート可能な無線技術タイプについての情報、又はアクセス禁止された無線技術タイプについての情報の要求メッセージを送信し、ユーザ機器が、ネットワーク側によってフィードバックされた応答メッセージを受信し、応答メッセージは、アクセスサポート可能な無線技術タイプについての情報、又はアクセス禁止された無線技術タイプについての情報を含み、ユーザ機器は、受信された応答メッセージを使用することによって、アクセスサポート可能な無線技術タイプについての情報、又はアクセス禁止された無線技術タイプについての情報を取得する。
【００４２】
別の可能な実装方式において、ユーザ機器が、ネットワーク側がユーザ機器が登録されるのを拒否するネットワークに対応する無線アクセス技術タイプについての情報を、アクセス禁止された無線技術タイプについての情報として保存することが可能である。ユーザ機器に対応するアクセス禁止された無線技術タイプについての情報が取得される際、対応する情報が、アクセス禁止された無線技術タイプについての保存された情報を使用することによって取得される。特定の実施中、ネットワーク登録要求をネットワーク側のデバイスに送信し、ネットワーク側のデバイスによってフィードバックされたネットワーク登録拒否メッセージを受信した場合、ユーザ機器は、登録が要求されたネットワークに対応する無線アクセス技術タイプについての情報を、アクセス禁止された無線技術タイプについての情報として保存する。例えば、ユーザ機器が、ネットワークを初めて探索する際、ユーザ機器が、アクセスサポート可能な無線技術タイプについての情報、又はアクセス禁止された無線技術タイプについての情報を保存しないとき、ユーザ機器が、ネットワークに登録されるように試みて失敗し、ネットワーク側のデバイスによってフィードバックされたネットワーク登録拒否メッセージを受信した場合、ユーザ機器は、登録が要求されたネットワークに対応する無線アクセス技術タイプについての情報を、アクセス禁止された無線技術タイプについての情報として保存することが可能である。別の例として、ユーザ機器のサブスクリプション情報が更新される、又は無線技術タイプについての情報が更新される別の事例が生じる場合、最初の利用可能なネットワークが利用できなくなる。この事例において、ＵＥがネットワークに登録されるように試みることに失敗することももたらされる。この事例において、登録が要求されたネットワークに対応する無線アクセス技術タイプについての情報が、アクセス禁止された無線技術タイプについての情報として保存される。ネットワーク側のデバイスによってフィードバックされるネットワーク登録拒否メッセージは、識別情報を伝送し、識別情報は、登録が要求されたネットワークに対応する無線アクセス技術タイプがネットワーク側のアクセス禁止された無線アクセス技術タイプであることを示すのに使用される。
【００４３】
以上は、ユーザ機器に対応するアクセス禁止された無線技術タイプについての情報を取得するための４つの方式について説明する。当業者は、前述の方式が、独立に使用されることが可能であり、又は組合せで使用されることが可能であり、このことは、本明細書において限定されないことを理解することができる。
【００４４】
Ｓ１０２  決定された利用可能な無線技術タイプにより、その利用可能な無線技術タイプに対応する利用可能なネットワークを探索し、利用可能なネットワークは、データを処理するためにユーザ機器によって使用される。
【００４５】
ユーザ機器がネットワーク探索を実行する場合、利用可能な無線技術タイプに対応する利用可能なネットワークが探索される。例が、説明のために使用される。ユーザ機器のアクセスサポート可能な無線技術タイプがＬＴＥ、ＷＣＤＭＡ、又はＧＳＭを含み、ユーザ機器に対応するアクセス禁止された無線技術タイプがＬＴＥである場合、ユーザ機器がネットワーク探索を実行する際、ＷＣＤＭＡネットワーク及びＧＳＭネットワークだけが探索される。別の例として、アクセスサポート可能な無線技術タイプについての情報が、ユーザ機器のアクセスサポート可能な無線技術タイプ（例えば、ＬＴＥ、ＷＣＤＭＡ、又はＧＳＭ）により決定され、ユーザ機器の加入者ＩＤモジュールのアクセスサポート可能な無線技術タイプ（ＧＳＭ）は、ＧＳＭである。
【００４６】
可能な実装方式において、ユーザ機器は、アクセスサポート可能な無線技術タイプについての情報、又はアクセス禁止された無線技術タイプについての情報を更に更新し、更新された、アクセスサポート可能な無線技術タイプについての情報、又はアクセス禁止された無線技術タイプについての情報により、利用可能な無線技術タイプを決定することが可能である。例えば、以下が含まれることが可能である。すなわち、ユーザ機器がネットワーク探索を実行する必要があると決定された場合、取得された、アクセスサポート可能な無線技術タイプについての情報、又はアクセス禁止された無線技術タイプについての情報により、利用可能な無線技術タイプを決定することは、特に、ユーザ機器がネットワーク探索を実行する必要があると決定された場合、アクセスサポート可能な無線技術タイプについての情報、又はアクセス禁止された無線アクセスタイプについての情報を更新すること、及び更新された、アクセスサポート可能な無線技術タイプについての情報、又はアクセス禁止された無線アクセスタイプについての情報により、利用可能な無線技術タイプを決定することであること。更新された、アクセスサポート可能な無線技術タイプについての情報、又は更新された、アクセス禁止された無線アクセスタイプについての情報は、以下の方式で取得されることが可能である。すなわち、ユーザによって入力されたネットワーク登録メッセージが受信されると、ネットワーク登録メッセージによりネットワーク側のデバイスにネットワーク登録要求を送信すること、及びネットワーク側のデバイスによってフィードバックされたネットワーク登録成功メッセージが受信され、且つアクセス禁止された無線技術タイプについてのあらかじめ保存された情報が、登録が要求されたネットワークに対応する無線技術タイプを含むと決定された場合、その無線技術タイプに対応するアクセス禁止された無線技術タイプについての情報を削除すること、又はネットワーク側のデバイスによってフィードバックされたネットワーク登録成功メッセージが受信され、且つアクセスサポート可能な無線技術タイプについてのあらかじめ保存された情報が、登録が要求されたネットワークに対応する無線技術タイプを含まないと決定された場合、その無線技術タイプを、アクセスサポート可能な無線技術タイプとして保存すること。このようにして、ユーザが手動で選択してネットワークに登録されるようにした場合、アクセスサポート可能な無線技術タイプについての対応する情報、又はアクセス禁止された無線アクセスタイプについての情報が、ネットワーク側によってフィードバックされた登録成功メッセージ又は登録拒否メッセージにより更新されることが可能である。もちろん、当業者は、アクセスサポート可能な無線技術タイプについての情報、又はアクセス禁止された無線アクセスタイプについての情報を更新するための方式は、柔軟で、様々であることが可能であり、例えば、更新された、ネットワーク側によって送信されたアクセスサポート可能な無線技術タイプについての情報、又はアクセス禁止された無線アクセスタイプについての情報を受信すること、又はネットワーク側に無線技術タイプについての情報更新要求を送信し、ネットワーク側の応答メッセージにより、アクセスサポート可能な無線技術タイプについての情報、又はアクセス禁止された無線アクセスタイプについての情報を更新することを含むことが可能であることを理解することができる。別の例として、アクセスサポート可能な無線技術タイプについての情報、又はアクセス禁止された無線アクセスタイプについての情報は、ユーザの入力情報、又はネットワーク側によってフィードバックされた別のタイプのメッセージを使用することによって更新され、このことは、本発明において限定されない。
【００４７】
本発明のこの実施形態において、ユーザ機器がネットワーク探索を実行する必要があると決定された場合、利用可能な無線技術タイプが、取得された、アクセスサポート可能な無線技術タイプについての情報、又はアクセス禁止された無線アクセスタイプについての情報により決定され、ユーザ機器がネットワーク探索を実行する際、その利用可能な無線技術タイプに対応するネットワークが探索されて、そのネットワークを使用することによってデータを処理するようにする。本発明において、ネットワーク登録などの、ネットワーク探索が実行される必要があるデータ操作が実行される場合、利用可能な無線技術タイプに対応する利用可能なネットワークだけが探索され、ユーザ機器のアクセス禁止された無線技術タイプに対応するネットワークは探索されず、したがって、不必要なネットワークシグナリング負荷が低減され、ユーザ機器のネットワーク探索時間が低減され、ユーザ機器の消費電力が低減される。
【００４８】
以下は、図２から図４を参照して本発明の方法のいくつかの特定の実装方式について説明する。以下の実施形態はすべて、図１の方法の代替又は変形である。当業者は、以下は例示的な説明に過ぎず、本発明の限定とは見なされないことを理解することができる。創作的な努力なしに、当業者によって以下の実施形態の代替、変形、及び組合せを作成することによって得られる他の実施形態はやはり、本発明の保護範囲に入るものとする。以下のすべての実施形態において、利用可能な無線技術タイプが、アクセス禁止された無線アクセスタイプについての取得された情報により決定される例が、説明のために使用されることに留意されたい。当業者は、以下の実施形態において説明される方法は、利用可能な無線技術タイプが、アクセス禁止された無線アクセスタイプについての取得された情報により決定される事例に適用されることも可能であることを理解することができる。
【００４９】
別の実施形態
図２は、本発明によるユーザ機器のデータ処理方法の別の実施形態の概略図である。
【００５０】
この実施形態において、ユーザ機器がネットワークに登録する例が、本発明において提供される方法を説明するために使用される。
【００５１】
Ｓ２０１  ユーザ機器の電源がオンになり、ネットワーク登録モードに入る。
【００５２】
Ｓ２０２  ユーザ機器が、ＳＩＭカードが交換されているかどうかを決定し、はいである場合、ステップＳ２０３に進む、又はいいえである場合、ステップＳ２０４に進む。
【００５３】
特定の実施中、ユーザ機器が、ＳＩＭカードに記憶されたＩＭＳＩ（国際モバイル加入者識別番号，Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）により、ＳＩＭカードが変更されたかどうかを決定する。ＩＭＳＩは、モバイル加入者を区別するための識別子であり、ＳＩＭカードに記憶され、モバイル加入者の有効な情報を区別するために使用されることが可能である。ＩＭＳＩが変更された場合、ＳＩＭカードが交換されたと決定される。この事例において、ステップＳ２０３に進み、ＳＩＭに記憶されたアクセス禁止されたＲＡＴについての情報を読み取る。
【００５４】
Ｓ２０３  ＳＩＭカードに記憶されたＩＭＳＩに対応する動作ＲＡＴについての情報、及びアクセス禁止されたＲＡＴについての情報を読み取る。
【００５５】
この実施形態において、ユーザ機器に対応する動作ＲＡＴ（すなわち、アクセスをサポートするＲＡＴ）についての情報、及びアクセス禁止されたＲＡＴについての情報が、ＳＩＭカードに記憶される。アクセス禁止されたＲＡＴについての情報は、以下の表に示されることが可能である。
【００５６】
【表１】
2017517927.tif 000010
【００５７】
前掲の表に、各ＳＩＭのＩＭＳＩに対応するＰＬＭＮ（Ｐｕｂｌｉｃ  Ｌａｎｄ  Ｍｏｂｉｌｅ  Ｎｅｔｗｏｒｋ，公共陸上モバイルネットワーク）の禁止されたＲＡＴの記述情報が記憶される。また、非ＰＬＭＮネットワークも、同様の情報、すなわち、非ＰＬＭＮネットワークに対応するアクセス禁止されたＲＡＴについての情報を記憶することが可能である。
【００５８】
特定の実施中、アクセス禁止されたＲＡＴの有効性（すなわち、有効時間又は有効性タイプ）が更に設定されることが可能である。アクセス禁止された無線技術タイプについての情報の有効性タイプは、以下を含む。すなわち、
（１）アクセス禁止された無線技術タイプについての情報は、常時、有効である、又は
（２）アクセス禁止された無線技術タイプについての情報は、ユーザ機器の電源がオフになった後、無効である、又は
（３）アクセス禁止された無線技術タイプについての情報は、事前設定された期間中、有効である。
【００５９】
例えば、アクセス禁止されたＲＡＴは、ＬＴＥ又はＷＣＤＭＡに設定されることが可能である。ＬＴＥの有効性とＷＣＤＭＡの有効性はともに、永久有効性であり、すなわち、そのＲＡＴへのアクセスは、ユーザが手動で登録することに成功しない限り、常時、禁止され、そのＲＡＴに対応するアクセス禁止された情報は、削除される。また、ＬＴＥの有効性は、ユーザ機器の電源がオフになった後、無効であるように設定されることも可能である。このようにして、ユーザ機器の電源が再びオンになった後、ＬＴＥが、アクセス可能なＲＡＴとして使用され、ユーザ機器は、電源オンの後、ＬＴＥで登録されるように試みる。ＷＣＤＭＡの有効タイプは、事前設定された時間内に有効であり、特定の時間を過ぎると無効であるように設定されることも可能であり、したがって、ＷＣＤＭＡは、再びアクセス可能な標準となることが可能であり、ユーザ機器は、ネットワーク探索を実行する際、ＷＣＤＭＡネットワークを再び探索することが可能である。
【００６０】
Ｓ２０４  アクセス禁止されたＲＡＴのリストを取得する。
【００６１】
ＳＩＭカードを交換する事例に関して、ＳＩＭカードからアクセス禁止されたＲＡＴについての情報を読み取った後、ユーザ機器が、その情報を、アクセス禁止されたモード情報ベースに記憶する。ＳＩＭカードを交換しない事例に関して、ユーザ機器は、アクセス禁止されたモード情報ベースからアクセス禁止されたＲＡＴについての対応する情報を直接に取得することが可能である。ユーザ機器のＩＭＳＩとアクセス禁止されたＲＡＴについての情報の間に対応関係が存在し、ユーザ機器は、ユーザ機器のＩＭＳＩについての情報を使用することによって、ユーザ機器に対応するアクセス禁止されたＲＡＴについての情報を取得する。
【００６２】
Ｓ２０５  優先レベルにより、ユーザ機器によってサポートされるアクセス可能なＲＡＴ範囲からＲＡＴを選択し、アクセス禁止されたＲＡＴのリストにより、現在のＲＡＴがアクセス禁止されたＲＡＴであるかどうかを決定し、はいである場合、ステップＳ２０６に進む、又はいいえである場合、ステップＳ２０９に進む。
【００６３】
Ｓ２０６  ユーザがネットワーク手動で選択するかどうかを決定し、ＲＡＴを選択する。はいである場合、ステップＳ２０７に進み、又はいいえである場合、ステップＳ２０８に進む。
【００６４】
Ｓ２０７  ＲＡＴを探索し、登録しようと試み、登録が成功した場合、そのＲＡＴに対応するアクセス禁止された情報を削除する。登録が失敗した場合、ユーザが別のネットワークを手動で選択するのを待ち、さもなければ、ステップＳ２０５に戻る。
【００６５】
Ｓ２０８  ＲＡＴを登録することを禁止し、Ｓ２０５に戻る。
【００６６】
Ｓ２０９  ＲＡＴを登録しようと試み、ステップＳ２１０に進む。
【００６７】
Ｓ２１０  登録がネットワークによって拒否されたかどうかを決定し、はいである場合、ステップＳ２１１に進む。
【００６８】
Ｓ２１１  ＲＡＴに対応する情報を、アクセス禁止されたＲＡＴについての情報に書き込み、有効タイプを設定する。デフォルトで、アクセス禁止されたＲＡＴについての情報は、電源オフの後、無効である、又は永久に有効であるように、又は特定のタイマがタイムアウトした後、無効であるように構成されることが可能であるものと見なされる。次に、ステップＳ２０５に進み、ネットワークを探索することを試みるように次のＲＡＴを再選択する。
【００６９】
ユーザ機器に記憶されたアクセス禁止されたＲＡＴについての情報のソースは、ユーザ機器の加入者ＩＤモジュール（ＳＩＭカード、ＵＩＣＣカード、又はＵＳＩＭカードなどの）にあらかじめ保存されたアクセス禁止されたＲＡＴについての情報からであることが可能であり、又はネットワーク側によって送信されたアクセス禁止されたＲＡＴについての更新された情報からであることが可能であり、ネットワーク側によってプッシュされた情報を受信した後、ユーザ機器が、ユーザ機器に記憶されたアクセス禁止されたＲＡＴについての情報を更新することに留意されたい。別の実装方式において、ユーザ機器が、ネットワークサーバからアクセス禁止されたＲＡＴについての情報を定期的に要求し、要求された情報を使用することによって、ユーザ機器に記憶されたアクセス禁止されたＲＡＴについての情報を更新することが可能である。別の可能な実装方式において、ユーザ機器が、ネットワーク側が登録することを拒否したＲＡＴに対応する情報を、アクセス禁止されたＲＡＴについての情報に対して更新することも可能である。
【００７０】
この実施形態において、ユーザ機器に対応するアクセス禁止されたＲＡＴについての情報が、ユーザ機器の加入者ＩＤモジュール（ＳＩＭ）にあらかじめ保存され、ユーザ機器がネットワーク登録を実行しようと試みる際、アクセス禁止されたＲＡＴを除くＲＡＴに対応するネットワークだけが、アクセス禁止されたＲＡＴについての情報により探索され、アクセス禁止されたＲＡＴ上でネットワーク探索及び／又はネットワーク登録は実行されず、その結果、ネットワーク登録中にユーザ機器によって実行されるシグナリング対話を低減し、ネットワーク負荷を低減し、ユーザのネットワーク登録時間を低減することもし、且つユーザ機器の消費電力を低減する。更に、ネットワーク側が登録することを拒否したＲＡＴが、アクセス禁止されたＲＡＴについての情報に対して更新され、ユーザ機器がネットワーク探索を再試行する際（ネットワーク登録に限定されず、セル再選択、セル測定などを更に含むことが可能である）、登録されるのが拒否されたＲＡＴ上でネットワーク探索は実行されず、その結果、ユーザのネットワーク探索時間を低減することもし、且つユーザ機器の消費電力を低減する。
【００７１】
当業者は、図２に示される実施形態において、アクセス禁止されたＲＡＴについての情報がユーザ機器の加入者ＩＤモジュール（ＳＩＭ）にあらかじめ記憶される例が説明のために使用されることを理解することができる。同様に、アクセスサポート可能なＲＡＴについての情報がユーザ機器の加入者ＩＤモジュール（ＳＩＭ）にあらかじめ記憶される場合、この方法がやはり、同様に実施されることが可能である。例えば、以下が含まれることが可能である。すなわち、ユーザ機器の電源がオンになり、ユーザ機器がネットワーク登録モードに入った際、ＳＩＭカードが交換されたと決定された場合、アクセスサポート可能なＲＡＴについての情報が、そのＳＩＭカードから読み取られること、又はＳＩＭカードが交換されていないと決定された場合、アクセスサポート可能なＲＡＴについての情報が取得され、次に、ネットワーク探索及びネットワーク登録が、アクセスサポート可能なＲＡＴについての取得された情報を使用することによって実行される。ユーザが手動で選択してネットワーク登録を実行することに失敗し、登録が要求されたネットワークに対応するＲＡＴがアクセスサポート可能なＲＡＴである場合、そのＲＡＴについての情報が、あらかじめ保存されたアクセスサポート可能なＲＡＴから削除される。ユーザが手動で選択してネットワーク登録を実行し、ネットワーク側のデバイスによってフィードバックされたネットワーク登録成功メッセージを受信し、アクセスサポート可能な無線技術タイプについてのあらかじめ保存された情報が、登録が要求されたネットワークに対応する無線技術タイプを含まないと決定された場合、その無線技術タイプが、アクセスサポート可能な無線技術タイプとして保存される。特定の実施中、実施は、図２に示される実施形態を参照して実行されることが可能である。
【００７２】
更に別の実施形態
図３は、本発明によるユーザ機器のデータ処理方法の更に別の実施形態の概略図である。
【００７３】
この実施形態において、アイドル状態にあるユーザ機器がセル再選択測定を実行する例が、本発明において提供される方法を説明するために使用される。
【００７４】
Ｓ３０１  ユーザ機器がアイドル状態にあるときに、ユーザ機器がセル再選択測定をトリガする。
【００７５】
Ｓ３０２  ユーザ機器が、アクセスサポート可能な無線技術タイプについての情報、又はアクセス禁止された無線技術タイプについての情報を取得する。
【００７６】
アクセスサポート可能な無線技術タイプについての情報は、ユーザ機器の加入者ＩＤモジュールのアクセスサポート可能な無線技術タイプ、及びユーザ機器のアクセスサポート可能な無線技術タイプを含む。
【００７７】
アクセス禁止された無線アクセスタイプについての情報は、ユーザ機器の加入者ＩＤモジュールのアクセス禁止された無線技術タイプ、及びユーザ機器のアクセス禁止された無線技術タイプを含む。
【００７８】
Ｓ３０３  セル再選択測定を実行する際、ユーザ機器が、アクセス禁止されたＲＡＴに対応するネットワーク上でセル測定を実行せず、アクセス禁止されたＲＡＴを除くＲＡＴに対応するネットワーク上だけでネットワーク探索及びセル測定を実行する、又はセル再選択測定を実行する際、ユーザ機器が、アクセスサポート可能な無線技術タイプに対応するネットワーク上だけでネットワーク探索及びセル測定を実行する。特定の実施中、ユーザ機器が、セル再選択が実行された後にネットワークに登録するために失敗することを回避するために、アクセス禁止されたＲＡＴに対応するネットワーク上でセル測定は実行されない、又はセル再選択測定を実行する際、ユーザ機器は、アクセスサポート可能な無線技術タイプに対応するネットワーク上だけでネットワーク探索及びセル測定を実行して、測定によって消費されるネットワークリソース、及びユーザ機器の消費電力を低減し、且つセル再選択の後のユーザ機器の登録成功率を向上させるようにする。
【００７９】
Ｓ３０４  測定結果により、セルを再選択するかどうかを決定する。
【００８０】
特に、実施は、従来技術において提供される方法により実行されることが可能である。
【００８１】
この実施形態において、アイドル状態にあるユーザ機器がセル再選択測定を実行する場合、ユーザ機器はまず、アクセス禁止されたＲＡＴについての情報を取得し、次に、アクセス禁止されたＲＡＴについての情報により、アクセス禁止されたＲＡＴを除くＲＡＴに対応するネットワークだけを探索し、アクセス禁止されたＲＡＴ上でネットワーク探索及び／又はセル測定を実行せず、その結果、ユーザ機器がセルを測定する際に実行されるシグナリング対話を低減し、ネットワーク負荷を低減し、セル再選択の後のユーザ機器のネットワーク登録成功率を向上させることもし、且つユーザ機器の消費電力を低減する。
【００８２】
更に別の実施形態
図４は、本発明によるユーザ機器のデータ処理方法の更に別の実施形態の概略図である。
【００８３】
この実施形態において、専用接続状態にあるユーザ機器がセルを測定する例が、本発明において提供される方法を説明するために使用される。
【００８４】
Ｓ４０１  ユーザ機器が専用接続状態にあるときに、ユーザ機器が、測定制御メッセージを受信し、セル測定をトリガする。
【００８５】
ユーザ機器が専用接続状態にある場合、ユーザ機器は、呼モード又はデータサービスモード（例えば、インターネットサーフィン又はＳＭＳメッセージ）にあることが可能である。専用接続状態にあるユーザ機器によってトリガされるセル測定は、ネットワーク側によって送信された測定制御メッセージが受信された後にトリガされることが可能であり、又は別のトリガ方式でトリガされることが可能であり、これらは、本明細書において限定されない。
【００８６】
Ｓ４０２  ユーザ機器が、アクセスサポート可能な無線技術タイプについての情報、又はアクセス禁止された無線技術タイプについての情報を取得する。
【００８７】
Ｓ４０３  セル測定を実行する際、ユーザ機器が、アクセス禁止されたＲＡＴに対応するネットワーク上でセル測定を実行せず、アクセス禁止されたＲＡＴを除くＲＡＴに対応するネットワーク上だけでネットワーク探索及びセル測定を実行する、又はセル測定を実行する際、ユーザ機器が、アクセスサポート可能な無線技術タイプに対応するネットワーク上だけでネットワーク探索及びセル測定を実行する。
【００８８】
特定の実施中、ユーザ機器が、セル再選択が実行された後にネットワークに登録するために失敗することを回避するために、アクセス禁止されたＲＡＴに対応するネットワーク上でセル測定が実行されず、又はセル測定を実行する際、ユーザ機器が、アクセスサポート可能な無線技術タイプに対応するネットワーク上だけでネットワーク探索及びセル測定を実行して、測定によって消費されるネットワークリソース、及びユーザ機器の消費電力を低減し、且つセル再選択の後のユーザ機器の登録成功率を向上させるようにする。
【００８９】
Ｓ４０４  測定結果を報告する。
【００９０】
この実施形態において、専用接続状態にある（例えば、呼中の）ユーザ機器がセルを測定する場合、ユーザ機器はまず、アクセス禁止されたＲＡＴについての情報を取得し、次に、アクセス禁止されたＲＡＴについての情報により、アクセス禁止されたＲＡＴを除くＲＡＴに対応するネットワークだけを探索し、アクセス禁止されたＲＡＴ上でネットワーク探索及び／又はセル測定を実行せず、その結果、ユーザ機器がセルを測定する際に実行されるシグナリング対話を低減し、ネットワーク負荷を低減し、セル再選択の後のユーザ機器のネットワーク登録成功率を向上させることもし、且つユーザ機器の消費電力を低減する。
【００９１】
本発明の前述の実施形態のステップは、必須ではなく、例示的な説明に過ぎないことに留意されたい。代替方式、変形方式、及び組合せ方式で前述の実施形態からやはり得られることが可能な他のすべての実施形態は、本発明の保護範囲に入るものとする。本発明の前述の実施形態のステップのなかに確定的な実行シーケンスが存在することもなく、前述のステップの実行シーケンスは、並行の実行又は逆転された実行であることが可能であり、このことは、本発明において限定されない。
【００９２】
図５は、本発明によるユーザ機器の実施形態の概略図である。図５に示されるユーザ機器は、図１から図４に示される実施形態において上記の方法を実施する。
【００９３】
本発明において提供されるユーザ機器は、異なる通信ネットワークシステムに適用されることが可能であり、ユーザ機器は、マルチモードユーザ機器であり、複数の無線アクセス技術タイプに対応するネットワークをサポートすることができることに留意されたい。ユーザ機器がアクセスすることが可能なネットワークは、ＧＳＭネットワーク、ＵＭＴＳネットワーク、ＣＤＭＡ（Ｃｏｄｅ  Ｄｉｖｉｓｉｏｎ  Ｍｕｌｔｉｐｌｅ  Ａｃｃｅｓｓ，符号分割多元接続）ネットワーク、ＴＤＣＤＭＡ（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ，（時分割同期符号分割多元接続））ネットワーク、ＷＣＤＭＡネットワーク、ＳＡＥ（Ｓｙｓｔｅｍ  Ａｒｃｈｉｔｅｃｔｕｒｅ  Ｅｖｏｌｖｅｄ，Ｓｙｓｔｅｍ  Ａｒｃｈｉｔｅｃｔｕｒｅ  Ｅｖｏｌｕｔｉｏｎ  Ｎｅｔｗｏｒｋ）／ＬＴＥ（Ｌｏｎｇ  Ｔｅｒｍ  Ｅｖｏｌｅｄ，Ｌｏｎｇ  Ｔｅｒｍ  Ｅｖｏｌｕｔｉｏｎ  Ｎｅｔｗｏｒｋ）ネットワークなどを含むことが可能であるが、以上には限定されない。
【００９４】
ユーザ機器は、
ユーザ機器がネットワーク探索を実行する必要があると決定された場合、取得された、アクセスサポート可能な無線技術タイプについての情報、又はアクセス禁止された無線アクセスタイプについての情報により、利用可能な無線技術タイプを決定するように構成された決定ユニット５０１と、
決定ユニットによって決定された利用可能な無線技術タイプにより、その利用可能な無線技術タイプに対応する利用可能なネットワークを探索するように構成された探索ユニット５０２であって、利用可能なネットワークは、データを処理するためにユーザ機器によって使用される探索ユニット５０２とを含む。
【００９５】
決定ユニットは、ユーザ機器がネットワークに登録すると決定された場合、ユーザ機器がネットワーク探索を実行する必要があると決定するように、又はユーザ機器がセルを測定すると決定された場合、ユーザ機器がネットワーク探索を実行する必要があると決定するように特に構成される。更に、決定ユニットは、アイドル状態にあるユーザ機器がセル再選択測定を実行すると決定された場合、ユーザ機器がネットワーク探索を実行する必要があると決定するように、又は専用接続状態にあるユーザ機器がセルを測定すると決定された場合、ユーザ機器がネットワーク探索を実行する必要があると決定するように特に構成される。
【００９６】
可能な実装方式において、決定ユニットは、ユーザ機器がネットワークに登録すると決定された場合、ユーザ機器がネットワーク探索を実行する必要があると決定するように特に構成される。ユーザ機器の電源がオンになる、又はユーザ機器がカバレッジの穴からカバレッジ区域に入ると、ユーザ機器は、ネットワーク登録を実行するようにネットワークを探索する必要があり、滞在すべき適切なセルを選択する。このプロセスは、一般に、セル選択と呼ばれる。ユーザ機器が電源オフ状態から電源オン状態に切り換えられると、又はカバレッジの穴からカバレッジ区域に入ると、ユーザ機器は、ネットワークに登録する。この事例において、ユーザ機器はネットワーク探索を実行する必要があると決定される。
【００９７】
可能な実装方式において、決定ユニットは、ユーザ機器がセルを測定すると決定された場合、ユーザ機器がネットワーク探索を実行する必要があると決定するように特に構成される。ユーザ機器がセルを測定すると決定することは、アイドル状態にあるユーザ機器がセル再選択測定を実行すると決定すること、又は専用接続状態にあるユーザ機器がセルを測定すると決定することを含むことも可能である。ユーザ機器は、一般に、２つの状態、すなわち、接続状態（Ｃｏｎｎｅｃｔｅｄ）及びアイドル状態（Ｉｄｌｅ）を有する。ユーザ機器が接続状態にある場合、ユーザ機器とネットワーク側は、互いの間でデータ伝送を実行すること、例えば、呼を行うこと、並びにインターネットをサーフィンすること、及びＳＭＳメッセージを送信することなどの他のデータサービスを実行することが可能である。ユーザ機器がアイドル状態（Ｉｄｌｅ）にある場合、ユーザ機器は、セル再選択測定を実行する。すなわち、ユーザ機器は、ユーザ機器の現在のサービングセルの信号品質、及びユーザ機器の隣接セルの信号品質を監視して、セル再選択をトリガするかどうかを決定するようにして、その結果、ユーザ機器を現在のサービングセルから再選択されたセルにハンドオーバする。アイドル状態にあるユーザ機器がセルを測定する場合、ユーザ機器はまず、ネットワーク探索も実行し、したがって、アイドル状態にあるユーザ機器がセル再選択測定を実行すると決定された場合、ユーザ機器は、ネットワーク探索を実行する必要があると決定される。ユーザ機器が専用接続状態にある場合、データサービスが正常に実行されることを確実にするために、ユーザ機器は、ネットワーク側によって配信された測定制御メッセージによりセルを測定する。しかし、専用接続状態にあるユーザ機器がセルを測定する場合、ユーザ機器はまず、ネットワーク探索も実行し、したがって、専用接続状態にあるユーザ機器がセルを測定すると決定された場合、ユーザ機器は、ネットワーク探索を実行する必要があると決定される。
【００９８】
決定ユニットによって取得されるアクセスサポート可能な無線技術タイプについての情報は、
ユーザ機器の加入者ＩＤモジュールのアクセスサポート可能な無線技術タイプ、及びユーザ機器のアクセスサポート可能な無線技術タイプを含み、
決定ユニットによって取得されるアクセス禁止された無線技術タイプについての情報は、
ユーザ機器の加入者ＩＤモジュールのアクセス禁止された無線技術タイプ、及びユーザ機器のアクセス禁止された無線技術タイプを含む。
【００９９】
決定ユニットは、ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得するように特に構成される。この可能な実装方式において、アクセスサポート可能な無線技術タイプについての情報、又はアクセス禁止された無線技術タイプについての情報が、ユーザ機器の加入者ＩＤモジュールにあらかじめ記憶される。加入者ＩＤモジュールは、ＳＩＭカード、ＵＳＩＭカード、又は加入者ＩＤ識別を実行するために使用される別のタイプのモジュール若しくはカードであることが可能である。アクセス禁止された無線技術タイプについての情報は、ユーザ機器のアクセス禁止された無線技術タイプを含む。例えば、ユーザ機器のアクセスサポート可能な無線技術タイプ（ＲＡＴ，Ｒａｄｉｏ  Ａｃｃｅｓｓ  Ｔｙｐｅ）が、ＬＴＥ、ＷＣＤＭＡ、ＧＳＭなどを含む。ユーザ機器のＳＩＭカードに記憶されたアクセス禁止されたタイプが、ＷＣＤＭＡである。決定ユニットによる、ユーザ機器に対応するアクセス禁止された無線技術タイプについての情報を取得することは、ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得することを含む。ユーザ機器が、加入者ＩＤモジュールから、アクセスサポート可能な無線技術タイプについての情報、又はアクセス禁止された無線技術タイプについての情報を読み取った後、アクセスサポート可能な無線技術タイプについての情報、又はアクセス禁止された無線技術タイプについての情報は、別のストレージロケーションに記憶されること、例えば、アクセス情報データベースに保存されることも可能であることに留意されたい。次に、アクセスサポート可能な無線技術タイプについての情報、又はアクセス禁止された無線技術タイプについての情報が再び取得される必要がある場合、対応する情報は、ＳＩＭカード又はＵＳＩＭカードを読み取る必要なしに、アクセス情報データベースから直接に読み取られることが可能である。
【０１００】
更に、ユーザ機器は、ネットワーク側によって送信されたアクセスサポート可能な無線技術タイプについての情報、又はアクセス禁止された無線技術タイプについての情報を受信するように構成された第１の受信ユニットを更に含み、決定ユニットは、第１の受信ユニットによって受信されたアクセスサポート可能な無線技術タイプについての情報、又はアクセス禁止された無線技術タイプについての情報を使用することによって、アクセスサポート可能な無線技術タイプについての情報、又はアクセス禁止された無線技術タイプについての情報を取得するように特に構成される。この実装方式において、ネットワーク側が、ユーザ機器に、アクセスサポート可能な無線技術タイプについての情報、又はアクセス禁止された無線技術タイプについての情報を能動的にプッシュすることが可能であり、ユーザ機器の受信ユニットが、ネットワーク側によって送信されたアクセスサポート可能な無線技術タイプについての情報、又はアクセス禁止された無線技術タイプについての情報を受信し、ユーザ機器の決定ユニットが、アクセスサポート可能な無線技術タイプについての受信された情報、又はアクセス禁止された無線技術タイプについての受信された情報を使用することによって、アクセスサポート可能な無線技術タイプについての情報、又はアクセス禁止された無線技術タイプについての情報を取得する。
【０１０１】
更に、ユーザ機器は、ネットワーク側に、アクセスサポート可能な無線技術タイプについての情報、又はアクセス禁止された無線技術タイプについての情報の要求メッセージを送信するように構成された送信ユニットと、ネットワーク側によってフィードバックされた応答メッセージを受信するように構成された第２の受信ユニットであって、応答メッセージは、アクセスサポート可能な無線技術タイプについての情報、又はアクセス禁止された無線技術タイプについての情報を含む第２の受信ユニットを更に含み、決定ユニットは、第２の受信ユニットによって受信された応答メッセージを使用することによって、アクセスサポート可能な無線技術タイプについての情報、又はアクセス禁止された無線技術タイプについての情報を取得するように特に構成される。
【０１０２】
更に、決定ユニットは、アクセスサポート可能な無線技術タイプについての情報、又はアクセス禁止された無線アクセスタイプについての情報を、以下の方式で、すなわち、
ユーザ機器が、ネットワーク側のデバイスにネットワーク登録要求を送信し、ネットワーク側のデバイスによってフィードバックされたネットワーク登録拒否メッセージを受信した場合、登録が要求されたネットワークに対応する無線アクセス技術タイプについての情報を、アクセス禁止された無線技術タイプについての情報として保存して、取得する。
【０１０３】
受信されるネットワーク登録拒否メッセージは、識別情報を伝送し、識別情報は、登録が要求されたネットワークに対応する無線アクセス技術タイプがネットワーク側のアクセス禁止された無線アクセス技術タイプであることを示すのに使用される。
【０１０４】
更に、決定ユニットは、
アクセスサポート可能な無線技術タイプについての情報、又はアクセス禁止された無線アクセスタイプについての情報を更新するように、且つ更新された、アクセスサポート可能な無線技術タイプについての情報、又はアクセス禁止された無線アクセスタイプについての情報により、利用可能な無線技術タイプを決定するように特に構成される。特定の実施中、更新された、アクセスサポート可能な無線技術タイプについての情報、又は更新された、アクセス禁止された無線アクセスタイプについての情報は、以下の方式で取得されることが可能である。すなわち、ユーザによって入力されたネットワーク登録メッセージが受信されると、ネットワーク登録メッセージによりネットワーク側のデバイスにネットワーク登録要求を送信すること、及びネットワーク側のデバイスによってフィードバックされたネットワーク登録成功メッセージが受信され、且つアクセス禁止された無線技術タイプについてのあらかじめ保存された情報が、登録が要求されたネットワークに対応する無線技術タイプを含むと決定された場合、その無線技術タイプに対応するアクセス禁止された無線技術タイプについての情報を削除すること、又はネットワーク側のデバイスによってフィードバックされたネットワーク登録成功メッセージが受信され、且つアクセスサポート可能な無線技術タイプについてのあらかじめ保存された情報が、登録が要求されたネットワークに対応する無線技術タイプを含まないと決定された場合、その無線技術タイプを、アクセスサポート可能な無線技術タイプとして保存すること。このようにして、ユーザが手動で選択してネットワークに登録されるようにした場合、アクセスサポート可能な無線技術タイプについての対応する情報、又はアクセス禁止された無線アクセスタイプについての情報が、ネットワーク側によってフィードバックされた登録成功メッセージ又は登録拒否メッセージにより更新されることが可能である。もちろん、当業者は、アクセスサポート可能な無線技術タイプについての情報、又はアクセス禁止された無線アクセスタイプについての情報を更新するための方式は、柔軟で、様々であることが可能であり、例えば、更新された、ネットワーク側によって送信されたアクセスサポート可能な無線技術タイプについての情報、又はアクセス禁止された無線アクセスタイプについての情報を受信すること、又はネットワーク側に無線技術タイプについての情報更新要求を送信し、ネットワーク側の応答メッセージにより、アクセスサポート可能な無線技術タイプについての情報、又はアクセス禁止された無線アクセスタイプについての情報を更新することを含むことが可能であることを理解することができる。別の例として、アクセスサポート可能な無線技術タイプについての情報、又はアクセス禁止された無線アクセスタイプについての情報は、ユーザの入力情報、又はネットワーク側によってフィードバックされた別のタイプのメッセージを使用することによって更新され、このことは、本発明において限定されない。
【０１０５】
更に、ユーザ機器は、
ユーザによって入力されたネットワーク登録メッセージを受信するように構成された登録情報受信ユニットと、
登録情報受信ユニットによって受信されたネットワーク登録メッセージによりネットワーク側のデバイスにネットワーク登録要求を送信するように構成された第２のネットワーク登録要求送信ユニットと、
ネットワーク側のデバイスによってフィードバックされたネットワーク登録成功メッセージが受信され、且つ登録が要求されたネットワークに対応する無線アクセス技術タイプが、あらかじめ保存されたアクセス禁止された無線アクセス技術タイプであると決定された場合、その無線アクセスタイプに対応するアクセス禁止された無線アクセス技術タイプについての情報を削除するように構成された削除ユニットと、
ネットワーク側のデバイスによってフィードバックされたネットワーク登録成功メッセージが受信され、且つアクセスサポート可能な無線技術タイプについてのあらかじめ保存された情報が、登録が要求されたネットワークに対応する無線技術タイプを含まないと決定された場合、その無線技術タイプをアクセスサポート可能な無線技術タイプとして保存する保存ユニットとを更に含む。
【０１０６】
特定の実施中、ネットワーク探索を実行する際、ユーザ機器の探索ユニットが、利用可能な無線技術タイプに対応する利用可能なネットワークを探索する。例が、説明のために使用される。ユーザ機器のアクセスサポート可能な無線技術タイプがＬＴＥ、ＷＣＤＭＡ、又はＧＳＭを含み、且つユーザ機器に対応するアクセス禁止された無線技術タイプがＬＴＥである場合、ユーザ機器がネットワーク探索を実行する際、ＷＣＤＭＡネットワーク及びＧＳＭネットワークだけが探索される。
【０１０７】
本発明のこの実施形態において、ユーザ機器がネットワーク探索を実行する必要があると決定された場合、利用可能な無線技術タイプが、取得された、アクセスサポート可能な無線技術タイプについての情報、又はアクセス禁止された無線アクセスタイプについての情報により決定され、ユーザ機器がネットワーク探索を実行する際、その利用可能な無線技術タイプに対応するネットワークが探索されて、そのネットワークを使用することによってデータを処理するようにする。本発明において、ネットワーク登録などの、ネットワーク探索が実行される必要があるデータ操作が実行される場合、利用可能な無線技術タイプに対応する利用可能なネットワークだけが探索され、ユーザ機器のアクセス禁止された無線技術タイプに対応するネットワークは探索されず、したがって、不必要なネットワークシグナリング負荷が低減され、ユーザ機器のネットワーク探索時間が低減され、ユーザ機器の消費電力が低減される。
【０１０８】
別の実施形態
図６は、本発明によるユーザ機器の別の実施形態の概略図である。図６に示されるユーザ機器は、図１から図４に示される実施形態において上記の方法を実施する。
【０１０９】
図６は、本発明の別の実施形態において提供されるユーザ機器の構造を示し、そのユーザ機器は、少なくとも１つのメモリ６０１と、プロセッサ６０２（例えば、ＣＰＵ）と、これらの装置の間で接続及び通信を実施するように構成された少なくとも１つの通信バス６０３とを含む。プロセッサ６０２は、メモリ６０１に記憶された実行可能モジュール、例えば、コンピュータプログラムを実行するように構成される。メモリ６０１は、高速ランダムアクセスメモリ（ＲＡＭ：Ｒａｎｄｏｍ  Ａｃｃｅｓｓ  Ｍｅｍｏｒｙ）を含むことが可能であり、少なくとも１つの磁気ディスクメモリなどの不揮発性メモリ（ｎｏｎ−ｖｏｌａｔｉｌｅ  ｍｅｍｏｒｙ）を更に含むことが可能である。
【０１１０】
いくつかの実装方式において、メモリ６０１は、アクセスサポート可能な無線技術タイプについての情報、又はアクセス禁止された無線技術タイプについての情報を記憶するように構成される。
【０１１１】
プロセッサ６０２は、ユーザ機器がネットワーク探索を実行する必要があると決定された場合、メモリ６０１から、アクセスサポート可能な無線技術タイプについての情報、又はアクセス禁止された無線技術タイプについての情報を取得するように、且つ取得された、アクセスサポート可能な無線技術タイプについての情報、又はアクセス禁止された無線技術タイプについての情報により、利用可能な無線技術タイプに対応する利用可能なネットワークを探索するように構成され、利用可能なネットワークは、データを処理するためにユーザ機器によって使用される。
【０１１２】
メモリ６０１に記憶されたアクセスサポート可能な無線技術タイプについての情報は、ユーザ機器の加入者ＩＤモジュールのアクセスサポート可能な無線技術タイプ、及びユーザ機器のアクセスサポート可能な無線技術タイプを含み、アクセス禁止された無線アクセスタイプについての情報は、ユーザ機器の加入者ＩＤモジュールのアクセス禁止された無線技術タイプ、及びユーザ機器のアクセス禁止された無線技術タイプを含む。
【０１１３】
プロセッサ６０２は、ユーザ機器がネットワークに登録すると決定された場合、ユーザ機器がネットワーク探索を実行する必要があると決定するように、又はユーザ機器がセルを測定すると決定された場合、ユーザ機器がネットワーク探索を実行する必要があると決定するように更に構成される。
【０１１４】
プロセッサ６０２は、アイドル状態にあるユーザ機器がセル再選択測定を実行すると決定された場合、ユーザ機器がネットワーク探索を実行する必要があると決定するように、又は専用接続状態にあるユーザ機器がセルを測定すると決定された場合、ユーザ機器がネットワーク探索を実行する必要があると決定するように更に構成される。
【０１１５】
プロセッサ６０２は、ユーザ機器の加入者ＩＤモジュールにあらかじめ保存されたアクセスサポート可能な無線技術タイプについての情報、又はアクセス禁止された無線技術タイプについての情報から、アクセスサポート可能な無線技術タイプについての情報、又はアクセス禁止された無線技術タイプについての情報を取得するように更に構成される。
【０１１６】
ユーザ機器は、ネットワーク側によって送信されたアクセスサポート可能な無線技術タイプについての情報、又はアクセス禁止された無線技術タイプについての情報を受信するように構成された受信機６０４を更に含み、
プロセッサ６０２は、受信機６０４によって受信されたアクセスサポート可能な無線技術タイプについての情報、又はアクセス禁止された無線技術タイプについての情報を使用することによって、アクセスサポート可能な無線技術タイプについての情報、又はアクセス禁止された無線技術タイプについての情報を取得するように更に構成される。
【０１１７】
ユーザ機器は、ネットワーク側に、アクセスサポート可能な無線技術タイプについての情報、又はアクセス禁止された無線技術タイプについての情報の要求メッセージを送信するように構成された送信機６０５を更に含み、
受信機６０４は、ネットワーク側によってフィードバックされた応答メッセージを受信するように更に構成され、応答メッセージは、アクセスサポート可能な無線技術タイプについての情報、又はアクセス禁止された無線技術タイプについての情報を含み、
プロセッサ６０２は、受信された応答メッセージを使用することによって、アクセスサポート可能な無線技術タイプについての情報、又はアクセス禁止された無線技術タイプについての情報を取得するように更に構成される。
【０１１８】
送信機６０５は、利用可能なネットワークが探索を用いて見出された後、ネットワーク側のデバイスにネットワーク登録要求を送信するように更に構成され、
受信機６０４は、ネットワーク側のデバイスによってフィードバックされたネットワーク登録拒否メッセージを受信するように更に構成され、ネットワーク登録拒否メッセージは、拒否理由値を伝送し、拒否理由値は、登録が要求されたネットワークに対応する無線アクセス技術タイプがネットワーク側のアクセス禁止された無線アクセス技術タイプであることを示すのに使用される。
【０１１９】
プロセッサ６０２は、受信機６０４が、ネットワーク側のデバイスによってフィードバックされたネットワーク登録拒否メッセージを受信した後、登録が要求されたネットワークに対応する無線アクセス技術タイプについての情報を、アクセス禁止された無線技術タイプについての情報として保存するように更に構成される。
【０１２０】
プロセッサ６０２は、アクセスサポート可能な無線技術タイプについての情報、又はアクセス禁止された無線アクセスタイプについての情報を更新するように、且つ更新された、アクセスサポート可能な無線技術タイプについての情報、又はアクセス禁止された無線アクセスタイプについての情報により、利用可能な無線技術タイプを決定するように更に構成される。
【０１２１】
受信機６０４は、ユーザによって入力されたネットワーク登録メッセージを受信するように更に構成され、
送信機６０５は、受信機６０４によって受信されたネットワーク登録メッセージによりネットワーク側のデバイスにネットワーク登録要求を送信するように更に構成され、
受信機６０４は、ネットワーク側のデバイスによってフィードバックされたネットワーク登録成功メッセージを受信するように更に構成され、
プロセッサは、受信機６０４が、ネットワーク側のデバイスによってフィードバックされたネットワーク登録成功メッセージを受信し、且つ登録が要求されたネットワークに対応する無線アクセス技術タイプが、あらかじめ保存されたアクセス禁止された無線アクセス技術タイプであると決定された場合、その無線アクセスタイプに対応するアクセス禁止された無線アクセス技術タイプについての情報を削除するように、又は受信機６０４が、ネットワーク側のデバイスによってフィードバックされたネットワーク登録成功メッセージを受信し、且つアクセスサポート可能な無線技術タイプについてのあらかじめ保存された情報が、登録が要求されたネットワークに対応する無線技術タイプを含まないと決定された場合、その無線技術タイプをアクセスサポート可能な無線技術タイプとして保存するように更に構成される。
【０１２２】
当業者は、実施形態による方法の手続きが、妥当なハードウェアに命令するプログラムによって実施され得ることを理解するはずである。そのプログラムは、可読記憶媒体に記憶されることが可能である。そのプログラムが実行されると、本発明の実施形態による方法の対応するステップが実行される。記憶媒体は、ＲＯＭ／ＲＡＭ、磁気ディスク、光ディスクなどであることが可能である。
【０１２３】
以上の説明は、本発明の例示的な実装方式に過ぎない。当業者は、本発明の原理を逸脱することなく、いくつかの改良又は洗練を行うことが可能であり、それらの改良又は洗練は、本発明の保護範囲に入るものとされることに留意されたい。
【手続補正２】
【補正対象書類名】特許請求の範囲
【補正対象項目名】全文
【補正方法】変更
【補正の内容】
【特許請求の範囲】
【請求項１】
ユーザ機器がネットワーク探索を実行する必要があると決定された場合、取得された、アクセスサポート可能な無線技術タイプについての情報、又はアクセス禁止された無線アクセスタイプについての情報に従って、利用可能な無線技術タイプを決定するように構成された決定ユニットと、
前記決定ユニットによって決定された前記利用可能な無線技術タイプに従って、前記利用可能な無線技術タイプに対応する利用可能なネットワークを探索するように構成された探索ユニットであって、前記利用可能なネットワークは、データを処理するために前記ユーザ機器によって使用される探索ユニットとを備えるユーザ機器。
【請求項２】
前記決定ユニットは、
前記ユーザ機器がネットワークに登録すると決定された場合、前記ユーザ機器がネットワーク探索を実行する必要があると決定するように、又は
前記ユーザ機器がセルを測定すると決定された場合、前記ユーザ機器がネットワーク探索を実行する必要があると決定するように特に構成される請求項１に記載のユーザ機器。
【請求項３】
前記決定ユニットによって取得される前記アクセスサポート可能な無線技術タイプについての前記情報は、
前記ユーザ機器の加入者ＩＤモジュールのアクセスサポート可能な無線技術タイプ、及び前記ユーザ機器のアクセスサポート可能な無線技術タイプを含み、
前記決定ユニットによって取得される前記アクセス禁止された無線技術タイプについての前記情報は、
前記ユーザ機器の前記加入者ＩＤモジュールのアクセス禁止された無線技術タイプ、及び前記ユーザ機器のアクセス禁止された無線技術タイプを含む請求項１に記載のユーザ機器。
【請求項４】
前記決定ユニットは、
前記ユーザ機器の加入者ＩＤモジュールにあらかじめ保存されたアクセスサポート可能な無線技術タイプについての情報、又はアクセス禁止された無線技術タイプについての情報から、前記アクセスサポート可能な無線技術タイプについての前記情報、又は前記アクセス禁止された無線技術タイプについての前記情報を取得するように特に構成される請求項１に記載のユーザ機器。
【請求項５】
ネットワーク側によって送信されたアクセスサポート可能な無線技術タイプについての情報、又はアクセス禁止された無線技術タイプについての情報を受信するように構成された第１の受信ユニットを更に備える前記ユーザ機器であって、
前記決定ユニットは、
前記第１の受信ユニットによって受信された前記アクセスサポート可能な無線技術タイプについての前記情報、又は前記アクセス禁止された無線技術タイプについての前記情報を使用することによって、前記アクセスサポート可能な無線技術タイプについての前記情報、又は前記アクセス禁止された無線技術タイプについての前記情報を取得するように特に構成される請求項１に記載のユーザ機器。
【請求項６】
ネットワーク側に、アクセスサポート可能な無線技術タイプについての情報、又はアクセス禁止された無線技術タイプについての情報の要求メッセージを送信するように構成された送信ユニットと、
前記ネットワーク側によってフィードバックされた応答メッセージを受信するように構成された第２の受信ユニットであって、前記応答メッセージは、前記アクセスサポート可能な無線技術タイプについての前記情報、又は前記アクセス禁止された無線技術タイプについての前記情報を含む第２の受信ユニットを更に備える前記ユーザ機器であって、
前記決定ユニットは、
前記第２の受信ユニットによって受信された前記応答メッセージを使用することによって、前記アクセスサポート可能な無線技術タイプについての前記情報、又は前記アクセス禁止された無線技術タイプについての前記情報を取得するように特に構成される請求項１に記載のユーザ機器。
【請求項７】
前記決定ユニットは、前記アクセスサポート可能な無線技術タイプについての前記情報、又は前記アクセス禁止された無線アクセスタイプについての前記情報を、以下の方式で、すなわち、
前記ユーザ機器が、ネットワーク側のデバイスにネットワーク登録要求を送信し、前記ネットワーク側のデバイスによってフィードバックされたネットワーク登録拒否メッセージを受信した場合、登録が要求されたネットワークに対応する無線アクセス技術タイプについての情報を、アクセス禁止された無線技術タイプについての情報として保存して、取得する請求項１に記載のユーザ機器。
【請求項８】
前記ネットワーク登録拒否メッセージは、識別情報を伝送し、前記識別情報は、登録が要求された前記ネットワークに対応する無線アクセス技術タイプが前記ネットワーク側のアクセス禁止された無線アクセス技術タイプであることを示すのに使用される請求項７に記載のユーザ機器。
【請求項９】
前記決定ユニットは、
前記アクセスサポート可能な無線技術タイプについての前記情報、又は前記アクセス禁止された無線アクセスタイプについての前記情報を更新するように、且つ前記更新された、前記アクセスサポート可能な無線技術タイプについての情報、又は前記アクセス禁止された無線アクセスタイプについての情報に従って、利用可能な無線技術タイプを決定するように特に構成される請求項１に記載のユーザ機器。
【請求項１０】
ユーザ機器のデータ処理方法であって、
前記ユーザ機器がネットワーク探索を実行する必要があると決定された場合、取得された、アクセスサポート可能な無線技術タイプについての情報、又はアクセス禁止された無線アクセスタイプについての情報に従って、利用可能な無線技術タイプを決定するステップと、
前記決定された利用可能な無線技術タイプに従って、前記利用可能な無線技術タイプに対応する利用可能なネットワークを探索するステップであって、前記利用可能なネットワークは、データを処理するために前記ユーザ機器によって使用されるステップとを備える方法。
【請求項１１】
前記ユーザ機器がネットワーク探索を実行する必要があると前記決定するステップは、
前記ユーザ機器がネットワークに登録すると決定された場合、前記ユーザ機器がネットワーク探索を実行する必要があると決定するステップ、又は
前記ユーザ機器がセルを測定すると決定された場合、前記ユーザ機器がネットワーク探索を実行する必要があると決定するステップを備える請求項１０に記載の方法。
【請求項１２】
前記アクセスサポート可能な無線技術タイプについての前記取得された情報は、
前記ユーザ機器の加入者ＩＤモジュールのアクセスサポート可能な無線技術タイプ、及び前記ユーザ機器のアクセスサポート可能な無線技術タイプを含み、
前記アクセス禁止された無線アクセスタイプについての前記取得された情報は、
前記ユーザ機器の前記加入者ＩＤモジュールのアクセス禁止された無線技術タイプ、及び前記ユーザ機器のアクセス禁止された無線技術タイプを含む請求項１０に記載の方法。
【請求項１３】
アクセスサポート可能な無線技術タイプについての情報、又はアクセス禁止された無線技術タイプについての情報を前記取得するステップは、
前記ユーザ機器の加入者ＩＤモジュールにあらかじめ保存されたアクセスサポート可能な無線技術タイプについての情報、又はアクセス禁止された無線技術タイプについての情報から、前記アクセスサポート可能な無線技術タイプについての前記情報、又は前記アクセス禁止された無線技術タイプについての前記情報を取得するステップを備える請求項１０に記載の方法。
【請求項１４】
ネットワーク側によって送信されたアクセスサポート可能な無線技術タイプについての情報、又はアクセス禁止された無線技術タイプについての情報を受信するステップを更に備える方法であって、
アクセスサポート可能な無線技術タイプについての情報、又はアクセス禁止された無線技術タイプについての情報を前記取得するステップは、
前記アクセスサポート可能な無線技術タイプについての前記受信された情報、又は前記アクセス禁止された無線技術タイプについての前記受信された情報を使用することによって、前記アクセスサポート可能な無線技術タイプについての前記情報、又は前記アクセス禁止された無線技術タイプについての前記情報を取得するステップを備える請求項１０に記載の方法。
【請求項１５】
ネットワーク側に、アクセスサポート可能な無線技術タイプについての情報、又はアクセス禁止された無線技術タイプについての情報の要求メッセージを送信するステップと、
前記ネットワーク側によってフィードバックされた応答メッセージを受信するステップであって、前記応答メッセージは、前記アクセスサポート可能な無線技術タイプについての前記情報、又は前記アクセス禁止された無線技術タイプについての前記情報を含むステップとを更に備える方法であって、
アクセスサポート可能な無線技術タイプについての情報、又はアクセス禁止された無線技術タイプについての情報を前記取得するステップは、
前記受信された応答メッセージを使用することによって、前記アクセスサポート可能な無線技術タイプについての前記情報、又は前記アクセス禁止された無線技術タイプについての前記情報を取得するステップを備える請求項１０に記載の方法。
【請求項１６】
前記アクセスサポート可能な無線技術タイプについての前記情報、又は前記アクセス禁止された無線アクセスタイプについての前記情報は、以下の方式で、すなわち、前記ユーザ機器が、ネットワーク側のデバイスにネットワーク登録要求を送信し、前記ネットワーク側のデバイスによってフィードバックされたネットワーク登録拒否メッセージを受信した場合、登録が要求されたネットワークに対応する無線アクセス技術タイプについての情報を、アクセス禁止された無線技術タイプについての情報として保存して、取得される請求項１０に記載の方法。
【請求項１７】
前記ネットワーク登録拒否メッセージは、識別情報を伝送し、前記識別情報は、登録が要求された前記ネットワークに対応する無線アクセス技術タイプが前記ネットワーク側のアクセス禁止された無線アクセス技術タイプであることを示すのに使用される請求項１６に記載の方法。
【請求項１８】
取得された、アクセスサポート可能な無線技術タイプについての情報、又はアクセス禁止された無線アクセスタイプについての情報に従って、利用可能な無線技術タイプを前記決定するステップは、
前記アクセスサポート可能な無線技術タイプについての前記情報、又は前記アクセス禁止された無線アクセスタイプについての前記情報を更新するステップと、前記更新された、前記アクセスサポート可能な無線技術タイプについての情報、又は前記アクセス禁止された無線アクセスタイプについての情報に従って、利用可能な無線技術タイプを決定するステップとを備える請求項１０に記載の方法。
【国際調査報告】
2017517927.tif 000011
2017517927.tif 000012
2017517927.tif 000013
2017517927.tif 000014